(57)【要約】【課題】  全体の製作費を低減することができる空気調和機及び制御方法を提供する。【解決手段】  空気調和機１は、室内機１０と、室外機２０と、室内機１０と室外機２０との間で伝送信号を送受信するための信号ラインＳとを備えた空気調和機であって、室外機２０が、主電力供給部２６と室外マイコン２１とメーク接点Ｓ１と第１室外受信部２４と受光素子Ｑ１とを有する。主電力供給部２６は、電力供給を外部から受けて、主電力供給ラインＬＡＣと高圧側電源ラインＡＣＬ及び基準側電源ラインＡＣＮとを介して主電力を供給する。室外マイコン２１は、室外機器を制御する。メーク接点Ｓ１は、待機状態において、主電力供給部２６から室外マイコン２１への主電力に基づいた電力の供給を遮断する。第１室外受信部２４は、待機状態から運転状態に切り替える際に、起動信号を、室内機１０側から信号ラインＳを介して受信する。起動信号は、室外マイコン２１を起動するための直流の信号である。受光素子Ｑ１は、起動信号に基づいて、メーク接点Ｓ１による遮断を解除する。【選択図】      図１
2005257239.tif 000002
【特許請求の範囲】
【請求項１】
室内機（１０，１０ａ，１０ｂ，１１０，２１０）と、室外機（２０，２０ａ，２０ｂ，１２０，１２０ａ，２２０）と、前記室内機（１０，・・・）と前記室外機（２０，・・・）との間で伝送信号を送受信するための信号ライン（Ｓ）と、を備えた、空気調和機（１，１ａ，１ｂ，１００，１００ａ，２００）であって、
前記室外機（２０，・・・）が、
電力供給を外部から受けて電源ライン（ＡＣＬ，ＡＣＮ）を介して主電力を供給する主電力供給部（２６）と、
室外機器を制御する室外制御部（２１）と、
待機状態において、前記主電力供給部（２６）から前記室外制御部（２１）への前記主電力に基づいた電力の供給を遮断する第１遮断部（Ｓ１）と、
待機状態から運転状態に切り替える際に、前記室外制御部（２１）を起動するための直流の信号である起動信号を、前記室内機（１０，・・・）側から前記信号ライン（Ｓ）を介して受信する第１室外受信部（２４，１２４）と、
前記起動信号に基づいて、前記第１遮断部（Ｓ１）による遮断を解除する解除部（Ｑ１）と、
を有する、
空気調和機（１，１ａ，１ｂ，１００，１００ａ，２００）。
【請求項２】
前記第１遮断部（Ｓ１）は、待機状態から運転状態に切り替える際に、前記主電力供給部（２６）から前記室外制御部（２１）への前記主電力に基づいた電力の供給の遮断を解除する、
請求項１に記載の空気調和機（１，１ａ，１ｂ，１００，１００ａ，２００）。
【請求項３】
前記室内機（１０，・・・）は、
前記起動信号を生成する室内制御部（１１，１１ａ，１１１）と、
待機状態から運転状態に切り替える際に、前記起動信号を、前記信号ライン（Ｓ）を介して前記室外機（２０，・・・）側へ送信する第１室内送信部（１５，１１４）と、
を有する、
請求項１又は２に記載の空気調和機（１，１ａ，１ｂ，１００，１００ａ，２００）。
【請求項４】
前記室外機（２０，・・・）は、
前記第１室外受信部（２４，１２４）が受信した前記起動信号に基づいて、前記解除部（Ｑ１）に伝達するための信号である伝達信号を生成して、前記伝達信号を前記解除部（Ｑ１）へ伝達する伝達部（Ｄ１，Ｄ１０１）をさらに有する、
請求項１から３のいずれか１項に記載の空気調和機（１，１ａ，１ｂ，１００，１００ａ，２００）。
【請求項５】
前記室外機（２０，・・・）は、
前記電源ライン（ＡＣＬ，ＡＣＮ）と前記第１遮断部（Ｓ１）とを介して前記主電力の供給を受けて、前記室外制御部（２１）を起動させるための電力である制御電力を生成して、前記制御電力を前記室外制御部（２１）へ供給する制御電力供給部（２２）をさらに有し、
前記主電力に基づいた電力は、前記制御電力である、
請求項１から４のいずれか１項に記載の空気調和機（１，１ａ，１ｂ，１００，１００ａ，２００）。
【請求項６】
前記室外機（２０，・・・）は、
前記室外機器を駆動させるための電力である室外駆動電力を生成して前記室外駆動電力を前記室外機器へ供給する室外駆動電力供給部（２３）と、
待機状態において、前記主電力供給部（２６）から前記室外駆動電力供給部（２３）への前記主電力の供給を遮断する第２遮断部（ＭＲＭ１０，ＭＲＭ２０，ＭＲＭ１１）と、
を有し、
前記室外駆動電力供給部（２３）は、前記電源ライン（ＡＣＬ，ＡＣＮ）と前記第２遮断部（ＭＲＭ１０，ＭＲＭ２０，ＭＲＭ１１）とを介して前記主電力の供給を受け、
前記室外制御部（２１）は、起動されたことに基づいて、前記第２遮断部（ＭＲＭ１０，ＭＲＭ２０，ＭＲＭ１１）による遮断を解除する、
請求項１から５のいずれか１項に記載の空気調和機（１，１ａ，１ｂ，１００，１００ａ，２００）。
【請求項７】
前記室外制御部（２１）は、運転状態から待機状態に切り替える際に、前記第１遮断部（Ｓ１）による遮断を行わせるとともに、前記第２遮断部（ＭＲＭ１０，ＭＲＭ２０，ＭＲＭ１１）による遮断を行わせる、
請求項６に記載の空気調和機（１，１ａ，１ｂ，１００，１００ａ，２００）。
【請求項８】
前記室内機（１０，・・・）又は前記室外機（２０，・・・）は、
前記室外機（２０，・・・）との間で又は前記室内機（１０，・・・）との間で前記信号ライン（Ｓ）を介して伝送信号を送受信するための直流電力である伝送電力を生成して、前記信号ライン（Ｓ）を介して前記伝送電力を供給する伝送電力供給部（１７，２７ｂ，１２７）をさらに有する、
請求項１から７のいずれか１項に記載の空気調和機（１，１ａ，１ｂ，１００，１００ａ，２００）。
【請求項９】
前記第１室外受信部（２４，１２４）及び前記伝達部（Ｄ１，Ｄ１０１）は、発光素子であり、
前記解除部（Ｑ１）は、受光素子である、
請求項４から８のいずれか１項に記載の空気調和機（１，１ａ，１ｂ，１００，１００ａ，２００）。
【請求項１０】
前記第１室外受信部（２４，１２４）は、抵抗素子及び発光素子であり、
前記伝達部（Ｄ１，Ｄ１０１）は、前記発光素子であり、
前記解除部（Ｑ１）は、受光素子である、
請求項４から８のいずれか１項に記載の空気調和機（１，１ａ，１ｂ，１００，１００ａ，２００）。
【請求項１１】
前記室内機（２１０）は、
前記第１室内送信部（１１４）と前記信号ライン（Ｓ）との接続を遮断する第３遮断部（Ｓ２）と、
前記第３遮断部（Ｓ２）による遮断が行われている際に、前記室外機（２２０）側へ送信する信号を、前記信号ライン（Ｓ）を介して送信する第２室内送信部（１１５）と、
をさらに有し、
前記室内制御部（１１１）は、待機状態から運転状態に切り替える際に、前記第３遮断部（Ｓ２）による遮断を解除させる、
請求項３から１０のいずれか１項に記載の空気調和機（２００）。
【請求項１２】
前記室外機（２２０）は、
前記第１室外受信部（１２４）と前記信号ライン（Ｓ）との接続を遮断する第４遮断部（Ｓ３）と、
前記第４遮断部（Ｓ３）による遮断が行われている際に、前記室内機（２１０）側から送信された信号を、前記信号ライン（Ｓ）を介して受信する第２室外受信部（２５）と、
をさらに有し、
前記第４遮断部（Ｓ３）は、待機状態から運転状態に切り替える際に、前記第１室外受信部（１２４）と前記信号ライン（Ｓ）との接続の遮断を解除する、
請求項１から１１のいずれか１項に記載の空気調和機（２００）。
【請求項１３】
室内機（１０ｃ，１１０ｂ，２１０ａ）と、室外機（２０ｃ，１２０ｂ，２２０ａ）と、前記室内機（１０ｃ，・・・）と前記室外機（２０ｃ，・・・）との間で伝送信号を送受信するための信号ライン（Ｓ）と、を備えた、空気調和機（１ｃ，１００ｂ，２００ａ）であって、
前記室内機（１０ｃ，・・・）は、
電力供給を外部から受けて電源ライン（ＡＣＬ，ＡＣＮ）を介して主電力を供給する主電力供給部（１６ｃ，１１６ｂ，２１６ａ）を有し、
前記室外機（２０ｃ，・・・）は、
室外機器を制御する室外制御部（２１）と、
待機状態において、前記主電力供給部（１６ｃ，１１６ｂ，２１６ａ）から前記室外制御部（２１）への前記主電力に基づいた電力の供給を遮断する第１遮断部（Ｓ１）と、
待機状態から運転状態に切り替える際に、前記室外制御部（２１）を起動するための直流の信号である起動信号を、前記室内機（１０ｃ，・・・）側から前記信号ライン（Ｓ）を介して受信する第１室外受信部（２４，１２４）と、
前記起動信号に基づいて、前記第１遮断部（Ｓ１）による遮断を解除する解除部（Ｑ１）と、
を有する、
空気調和機（１ｃ，１００ｂ，２００ａ）。
【請求項１４】
前記第１遮断部（Ｓ１）は、待機状態から運転状態に切り替える際に、前記主電力供給部（１６ｃ，１１６ｂ，２１６ａ）から前記室外制御部（２１）への前記主電力に基づいた電力の供給の遮断を解除する、
請求項１３に記載の空気調和機（１ｃ，１００ｂ，２００ａ）。
【請求項１５】
前記室内機（１０ｃ，・・・）は、
前記起動信号を生成する室内制御部（１１，１１ａ，１１１）と、
待機状態から運転状態に切り替える際に、前記起動信号を、前記信号ライン（Ｓ）を介して前記室外機（２０ｃ，・・・）側へ送信する第１室内送信部（１５，１１４）と、
を有する、
請求項１３又は１４に記載の空気調和機（１ｃ，１００ｂ，２００ａ）。
【請求項１６】
前記室外機（２０ｃ，・・・）は、
前記第１室外受信部（２４，１２４）が受信した前記起動信号に基づいて、前記解除部（Ｑ１）に伝達するための信号である伝達信号を生成して、前記伝達信号を前記解除部（Ｑ１）へ伝達する伝達部（Ｄ１，Ｄ１０１）をさらに有する、
請求項１３から１５のいずれか１項に記載の空気調和機（１ｃ，１００ｂ，２００ａ）。
【請求項１７】
前記室外機（２０ｃ，・・・）は、
前記電源ライン（ＡＣＬ，ＡＣＮ）と前記第１遮断部（Ｓ１）とを介して前記主電力の供給を受けて、前記室外制御部（２１）を起動させるための電力である制御電力を生成して、前記制御電力を前記室外制御部（２１）へ供給する制御電力供給部（２２）をさらに有し、
前記主電力に基づいた電力は、前記制御電力である、
請求項１３から１６のいずれか１項に記載の空気調和機（１ｃ，１００ｂ，２００ａ）。
【請求項１８】
前記室外機（２０ｃ，・・・）は、
前記室外機器を駆動させるための電力である室外駆動電力を生成して前記室外駆動電力を前記室外機器へ供給する室外駆動電力供給部（２３）と、
待機状態において、前記主電力供給部（１６ｃ，１１６ｂ，２１６ａ）から前記室外駆動電力供給部（２３）への前記主電力の供給を遮断する第２遮断部（ＭＲＭ１０，ＭＲＭ２０，ＭＲＭ１１）と、
を有し、
前記室外駆動電力供給部（２３）は、前記電源ライン（ＡＣＬ，ＡＣＮ）と前記第２遮断部（ＭＲＭ１０，ＭＲＭ２０，ＭＲＭ１１）とを介して前記主電力の供給を受け、
前記室外制御部（２１）は、起動されたことに基づいて、前記第２遮断部（ＭＲＭ１０，ＭＲＭ２０，ＭＲＭ１１）による遮断を解除する、
請求項１３から１７のいずれか１項に記載の空気調和機（１ｃ，１００ｂ，２００ａ）。
【請求項１９】
前記室外制御部（２１）は、運転状態から待機状態に切り替える際に、前記第１遮断部（Ｓ１）による遮断を行わせるとともに、前記第２遮断部（ＭＲＭ１０，ＭＲＭ２０，ＭＲＭ１１）による遮断を行わせる、
請求項１８に記載の空気調和機（１ｃ，１００ｂ，２００ａ）。
【請求項２０】
前記室内機（１０ｃ，・・・）又は前記室外機（２０ｃ，・・・）は、
前記室外機（２０ｃ，・・・）との間で又は前記室内機（１０ｃ，・・・）との間で前記信号ライン（Ｓ）を介して伝送信号を送受信するための直流電力である伝送電力を生成して、前記信号ライン（Ｓ）を介して前記伝送電力を供給する伝送電力供給部（１７，２７ｂ，１２７）をさらに有する、
請求項１３から１９のいずれか１項に記載の空気調和機（１ｃ，１００ｂ，２００ａ）。
【請求項２１】
前記第１室外受信部（２４，１２４）及び前記伝達部（Ｄ１，Ｄ１０１）は、発光素子であり、
前記解除部（Ｑ１）は、受光素子である、
請求項１６から２０のいずれか１項に記載の空気調和機（１ｃ，１００ｂ，２００ａ）。
【請求項２２】
前記第１室外受信部（２４，１２４）は、抵抗素子及び発光素子であり、
前記伝達部（Ｄ１，Ｄ１０１）は、前記発光素子であり、
前記解除部（Ｑ１）は、受光素子である、
請求項１６から２０のいずれか１項に記載の空気調和機（１ｃ，１００ｂ，２００ａ）。
【請求項２３】
前記室内機（２１０ａ）は、
前記第１室内送信部（１１４）と前記信号ライン（Ｓ）との接続を遮断する第３遮断部（Ｓ２）と、
前記第３遮断部（Ｓ２）による遮断が行われている際に、前記室外機（２２０ａ）側へ送信する信号を、前記信号ライン（Ｓ）を介して送信する第２室内送信部（１１５）と、
をさらに有し、
前記室内制御部（１１１）は、待機状態から運転状態に切り替える際に、前記第３遮断部（Ｓ２）による遮断を解除させる、
請求項１５から２２のいずれか１項に記載の空気調和機（２００ａ）。
【請求項２４】
前記室外機（２２０ａ）は、
前記第１室外受信部（１２４）と前記信号ライン（Ｓ）との接続を遮断する第４遮断部（Ｓ３）と、
前記第４遮断部（Ｓ３）による遮断が行われている際に、前記室内機（２１０ａ）側から送信された信号を、前記信号ライン（Ｓ）を介して受信する第２室外受信部（２５）と、
をさらに有し、
前記第４遮断部（Ｓ３）は、待機状態から運転状態に切り替える際に、前記第１室外受信部（１２４）と前記信号ライン（Ｓ）との接続の遮断を解除する、
請求項１３から２３のいずれか１項に記載の空気調和機（２００ａ）。
【請求項２５】
室内機（１０，１０ａ，１０ｂ，１１０，２１０）と、室外機（２０，２０ａ，２０ｂ，１２０，１２０ａ，２２０）と、前記室内機（１０，・・・）と前記室外機（２０，・・・）との間で伝送信号を送受信するための信号ライン（Ｓ）と、を備えた空気調和機（１，１ａ，１ｂ，１００，１００ａ，２００）が、制御される制御方法であって、
電力供給が外部から前記室外機（２０，・・・）側で受けられて、電源ライン（ＡＣＬ，ＡＣＮ）を介して主電力が供給される主電力供給ステップと、
前記室内機（１０，・・・）及び前記室外機（２０，・・・）の待機状態において、室外機器を制御する室外制御部（２１）への前記主電力に基づいた電力の供給が遮断される遮断ステップと、
前記室内機（１０，・・・）及び前記室外機（２０，・・・）が待機状態から運転状態に切り替えられる際に、前記室外制御部（２１）を起動するための直流の信号である起動信号が、前記室内機（１０，・・・）側から前記信号ライン（Ｓ）を介して前記室外機（２０，・・・）側で受信される室外受信ステップと、
前記起動信号に基づいて、前記遮断ステップによる遮断が解除される解除ステップと、
を備えた、
制御方法。
【請求項２６】
室内機（１０ｃ，１１０ｂ，２１０ａ）と、室外機（２０ｃ，１２０ｂ，２２０ａ）と、前記室内機（１０ｃ，・・・）と前記室外機（２０ｃ，・・・）との間で伝送信号を送受信するための信号ライン（Ｓ）と、を備えた空気調和機（１ｃ，１００ｂ，２００ａ）が、制御される制御方法であって、
電力供給が外部から前記室内機（１０ｃ，・・・）側で受けられて、電源ライン（ＡＣＬ，ＡＣＮ）を介して主電力が供給される主電力供給ステップと、
前記室内機（１０ｃ，・・・）及び前記室外機（２０ｃ，・・・）の待機状態において、室外機器を制御する室外制御部（２１）への前記主電力に基づいた電力の供給が遮断される遮断ステップと、
前記室内機（１０ｃ，・・・）及び前記室外機（２０ｃ，・・・）が待機状態から運転状態に切り替えられる際に、前記室外制御部（２１）を起動するための直流の信号である起動信号が、前記室内機（１０ｃ，・・・）側から前記信号ライン（Ｓ）を介して前記室外機（２０ｃ，・・・）側で受信される室外受信ステップと、
前記起動信号に基づいて、前記遮断ステップによる遮断が解除される解除ステップと、
を備えた、
制御方法。
【発明の詳細な説明】
【技術分野】
【０００１】
本発明は、空気調和機及び制御方法に関する。
【背景技術】
【０００２】
従来から、室内機から室外機に起動電力を供給することにより、室外機器を制御する室外制御部を起動することが可能な空気調和機が提案されている（例えば、特許文献１参照）。この空気調和機は、主として、室内機と、室外機と、室内機と室外機との間で伝送信号を送受信するための信号ラインとを備えている。
【特許文献１】特開２０００−１１１１２３（第４−６頁、第１図）
【発明の開示】
【発明が解決しようとする課題】
【０００３】
しかし、従来の技術では、室内機から室外機に供給される起動電力が交流電力であるので、室外制御部を起動するために交流電力に基づく開閉制御を行う必要がある。この交流電力に基づく開閉制御を行うためには、（例えば、高価なトライアックを用いた）交流電力を受信するための回路と、交流電力に基づく開閉制御を行うための電源回路と、交流電力に基づく開閉制御を行うための駆動コイルとが、必要となり、全体の制作費が上昇する傾向にある。
【０００４】
そこで、本発明の課題は、全体の製作費を低減することができる空気調和機及び制御方法を提供することにある。
【課題を解決するための手段】
【０００５】
請求項１に係る空気調和機は、室内機と、室外機と、室内機と室外機との間で伝送信号を送受信するための信号ラインとを備えた空気調和機であって、室外機が、主電力供給部と室外制御部と第１遮断部と第１室外受信部と解除部とを有する。主電力供給部は、電力供給を外部から受けて電源ラインを介して主電力を供給する。室外制御部は、室外機器を制御する。第１遮断部は、待機状態において、主電力供給部から室外制御部への主電力に基づいた電力の供給を遮断する。第１室外受信部は、待機状態から運転状態に切り替える際に、起動信号を、室内機側から信号ラインを介して受信する。起動信号は、室外制御部を起動するための直流の信号である。解除部は、起動信号に基づいて、第１遮断部による遮断を解除する。
【０００６】
この空気調和機では、室外機の主電力供給部が、電力供給を外部から受けて電源ラインを介して主電力を供給する。室外機の室外制御部が、主電力に基づいた電力の供給を、電源ラインを介して主電力供給部から受けることができる。室外機の室外制御部が、室外機器を制御する。室外機の第１遮断部が、待機状態において、主電力供給部から室外制御部への主電力に基づいた電力の供給を遮断する。室外機の第１室外受信部が、待機状態から運転状態に切り替える際に、起動信号を、室内機側から信号ラインを介して受信する。起動信号が、室外制御部を起動するための直流の信号である。室外機の解除部が、起動信号に基づいて、第１遮断部による遮断を解除する。
【０００７】
したがって、室外制御部を起動するための直流の信号である起動信号に基づいて主電力供給部から室外制御部への主電力に基づいた電力の供給の遮断を解除して室外制御部を起動させることができる。このため、交流電力に基づく開閉制御を行う場合に比べて、第１室外受信部や解除部を簡易な構成にすることができる。このため、全体の製作費を低減することができる。
【０００８】
なお、主電力に基づいた電力は、主電力そのものだけでなく、主電力に基づいて生成された電力も含む。「起動信号に基づいて」とは、起動信号そのものに基づくことのほか、起動信号に基づく信号に基づくことも含む。
請求項２に係る空気調和機は、請求項１に記載の空気調和機であって、第１遮断部は、待機状態から運転状態に切り替える際に、主電力供給部から室外制御部への主電力に基づいた電力の供給の遮断を解除する。
【０００９】
この空気調和機では、室外機の主電力供給部が、電力供給を外部から受けて電源ラインを介して主電力を供給する。室外機の室外制御部が、主電力に基づいた電力の供給を、電源ラインを介して主電力供給部から受けることができる。室外機の室外制御部が、室外機器を制御する。室外機の第１遮断部が、待機状態において、主電力供給部から室外制御部への主電力に基づいた電力の供給を遮断する。室外機の第１室外受信部が、待機状態から運転状態に切り替える際に、起動信号を、室内機側から信号ラインを介して受信する。起動信号が、室外制御部を起動するための直流の信号である。室外機の解除部が、起動信号に基づいて、第１遮断部による遮断を解除する。室外機の第１遮断部が、待機状態から運転状態に切り替える際に、主電力供給部から室外制御部への主電力に基づいた電力の供給の遮断を解除する。
【００１０】
したがって、室外制御部を起動するための直流の信号である起動信号に基づいて主電力供給部から室外制御部への主電力に基づいた電力の供給の遮断を解除して室外制御部を起動させることができる。このため、交流電力に基づく開閉制御を行う場合に比べて、第１室外受信部や解除部を簡易な構成にすることができる。このため、全体の製作費を低減することができる。
【００１１】
請求項３に係る空気調和機は、請求項１又は２に記載の空気調和機であって、室内機は、室内制御部と第１室内送信部とを有する。室内制御部は、起動信号を生成する。第１室内送信部は、待機状態から運転状態に切り替える際に、起動信号を、信号ラインを介して室外機側へ送信する。
この空気調和機では、室外機の主電力供給部が、電力供給を外部から受けて電源ラインを介して主電力を供給する。室外機の室外制御部が、主電力に基づいた電力の供給を、電源ラインを介して主電力供給部から受けることができる。室外機の室外制御部が、室外機器を制御する。室外機の第１遮断部が、待機状態において、主電力供給部から室外制御部への主電力に基づいた電力の供給を遮断する。室内機の室内制御部が、起動信号を生成する。室内機の第１室内送信部が、起動信号を受け取ることができる。室内機の第１室内送信部が、待機状態から運転状態に切り替える際に、起動信号を、信号ラインを介して室外機側へ送信する。室外機の第１室外受信部が、待機状態から運転状態に切り替える際に、起動信号を、室内機側から信号ラインを介して受信する。起動信号が、室外制御部を起動するための直流の信号である。室外機の解除部が、起動信号に基づいて、第１遮断部による遮断を解除する。
【００１２】
したがって、起動信号を生成して室内機側から室外機側へ送信するので、室内機側から室外制御部を起動することができる。
請求項４に係る空気調和機は、請求項１から３のいずれか１項に記載の空気調和機であって、室外機は、伝達部をさらに有する。伝達部は、第１室外受信部が受信した起動信号に基づいて、伝達信号を生成して、伝達信号を解除部へ伝達する。伝達信号は、解除部に伝達するための信号である。
【００１３】
この空気調和機では、室外機の主電力供給部が、電力供給を外部から受けて電源ラインを介して主電力を供給する。室外機の室外制御部が、主電力に基づいた電力の供給を、電源ラインを介して主電力供給部から受けることができる。室外機の室外制御部が、室外機器を制御する。室外機の第１遮断部が、待機状態において、主電力供給部から室外制御部への主電力に基づいた電力の供給を遮断する。室外機の第１室外受信部が、待機状態から運転状態に切り替える際に、起動信号を、室内機側から信号ラインを介して受信する。起動信号が、室外制御部を起動するための直流の信号である。室外機の伝達部が、起動信号を受け取ることができる。室外機の伝達部が、第１室外受信部が受信した起動信号に基づいて、伝達信号を生成して、伝達信号を解除部へ伝達する。室外機の解除部が、起動信号に基づいて、第１遮断部による遮断を解除する。
【００１４】
したがって、起動信号に基づいて伝達信号を生成して解除部へ伝達するので、起動信号に基づいた信号を解除部が受け取ることができる。
請求項５に係る空気調和機は、請求項１から４のいずれか１項に記載の空気調和機であって、室外機は、制御電力供給部をさらに有する。制御電力供給部は、電源ラインと第１遮断部とを介して主電力の供給を受ける。制御電力供給部は、制御電力を生成して、制御電力を室外制御部へ供給する。制御電力は、室外制御部を起動させるための電力である。主電力に基づいた電力は、制御電力である。
【００１５】
この空気調和機では、室外機の主電力供給部が、電力供給を外部から受けて電源ラインを介して主電力を供給する。室外機の制御電力供給部が、電源ラインと第１遮断部とを介して主電力の供給を受ける。室外機の制御電力供給部が、制御電力を生成して、制御電力を室外制御部へ供給する。室外機の室外制御部が、室外機器を制御する。室外機の第１遮断部が、待機状態において、主電力供給部から室外制御部への主電力に基づいた電力の供給を遮断する。室外機の第１室外受信部が、待機状態から運転状態に切り替える際に、起動信号を、室内機側から信号ラインを介して受信する。起動信号が、室外制御部を起動するための直流の信号である。室外機の解除部が、起動信号に基づいて、第１遮断部による遮断を解除する。
【００１６】
したがって、第１遮断部による遮断が解除されたことに応じて制御電力を室外制御部へ供給することができるので、室外制御部を起動することができる。
請求項６に係る空気調和機は、請求項１から５のいずれか１項に記載の空気調和機であって、室外機は、室外駆動電力供給部と第２遮断部とを有する。室外駆動電力供給部は、室外駆動電力を生成して、室外駆動電力を室外機器へ供給する。室外駆動電力は、室外機器を駆動させるための電力である。第２遮断部は、待機状態において、主電力供給部から室外駆動電力供給部への主電力の供給を遮断する。室外駆動電力供給部は、電源ラインと第２遮断部とを介して主電力の供給を受ける。室外制御部は、起動されたことに基づいて、第２遮断部による遮断を解除する。
【００１７】
この空気調和機では、室外機の主電力供給部が、電力供給を外部から受けて電源ラインを介して主電力を供給する。室外機の室外制御部が、主電力に基づいた電力の供給を、電源ラインを介して主電力供給部から受けることができる。室外機の室外制御部が、室外機器を制御する。室外機の第１遮断部が、待機状態において、主電力供給部から室外制御部への主電力に基づいた電力の供給を遮断する。室外駆動電力供給部が、電源ラインと第２遮断部とを介して主電力の供給を受ける。室外駆動電力供給部が、室外駆動電力を生成して、室外駆動電力を室外機器へ供給する。室外機の第２遮断部が、待機状態において、主電力供給部から室外駆動電力供給部への主電力の供給を遮断する。室外機の第１室外受信部が、待機状態から運転状態に切り替える際に、起動信号を、室内機側から信号ラインを介して受信する。起動信号が、室外制御部を起動するための直流の信号である。室外機の解除部が、起動信号に基づいて、第１遮断部による遮断を解除する。これにより、主電力に基づいた電力を室外機の室外制御部に供給することができるので、室外機の室外制御部を起動することができる。室外制御部が、起動されたことに基づいて、第２遮断部による遮断を解除する。
【００１８】
したがって、室外制御部が起動されたことに基づいて第２遮断部による遮断を解除するので、室外駆動電力供給部に主電力を供給することができる。このため、室外機器へ室外駆動電力を供給することができるので、室内機及び室外機を待機状態から運転状態に切り替える際に室外機器を駆動することができる。
請求項７に係る空気調和機は、請求項６に記載の空気調和機であって、室外制御部は、運転状態から待機状態に切り替える際に、第１遮断部による遮断を行わせるとともに、第２遮断部による遮断を行わせる。
【００１９】
この空気調和機では、室外機の主電力供給部が、電力供給を外部から受けて電源ラインを介して主電力を供給する。室外機の室外制御部が、主電力に基づいた電力の供給を、電源ラインを介して主電力供給部から受けることができる。室外機の室外制御部が、室外機器を制御する。室外機の第１遮断部が、待機状態において、主電力供給部から室外制御部への主電力に基づいた電力の供給を遮断する。室外駆動電力供給部が、電源ラインと第２遮断部とを介して主電力の供給を受ける。室外駆動電力供給部が、室外駆動電力を生成して、室外駆動電力を室外機器へ供給する。室外機の第２遮断部が、待機状態において、主電力供給部から室外駆動電力供給部への主電力の供給を遮断する。室外機の第１室外受信部が、待機状態から運転状態に切り替える際に、起動信号を、室内機側から信号ラインを介して受信する。起動信号が、室外制御部を起動するための直流の信号である。室外機の解除部が、起動信号に基づいて、第１遮断部による遮断を解除する。これにより、主電力に基づいた電力を室外機の室外制御部に供給することができるので、室外機の室外制御部を起動することができる。室外制御部が、起動されたことに基づいて、第２遮断部による遮断を解除する。室外制御部が、運転状態から待機状態に切り替える際に、第１遮断部による遮断を行わせるとともに、第２遮断部による遮断を行わせる。
【００２０】
したがって、室内機及び室外機を運転状態から待機状態に切り替える際に、第１遮断部による遮断が行われるので、待機状態において室外制御部への制御電力の供給を遮断することができる。また、第２遮断部による遮断が行われるので、待機状態において室外機器への室外駆動電力の供給を遮断することができる。このため、室内機及び室外機の待機状態における消費電力を低減することができる。
【００２１】
請求項８に係る空気調和機は、請求項１から７のいずれか１項に記載の空気調和機であって、室内機又は室外機は、伝送電力供給部をさらに有する。伝送電力供給部は、伝送電力を生成して、信号ラインを介して伝送電力を供給する。伝送電力は、室外機との間で又は室内機との間で信号ラインを介して伝送信号を送受信するための直流電力である。
この空気調和機では、室外機の主電力供給部が、電力供給を外部から受けて電源ラインを介して主電力を供給する。室外機の室外制御部が、主電力に基づいた電力の供給を、電源ラインを介して主電力供給部から受けることができる。室外機の室外制御部が、室外機器を制御する。室外機の第１遮断部が、待機状態において、主電力供給部から室外制御部への主電力に基づいた電力の供給を遮断する。伝送電力供給部が、伝送電力を生成して、信号ラインを介して伝送電力を供給する。室外機の第１室外受信部が、待機状態から運転状態に切り替える際に、起動信号を、室内機側から信号ラインを介して受信する。起動信号が、室外制御部を起動するための直流の信号である。室外機の解除部が、起動信号に基づいて、第１遮断部による遮断を解除する。
【００２２】
したがって、信号ラインに伝送電力を供給するので、信号ラインを介して室外機側から室内機側に起動信号を送信することができる。
請求項９に係る空気調和機は、請求項４から８のいずれか１項に記載の空気調和機であって、第１室外受信部及び伝達部は、発光素子である。解除部は、受光素子である。
この空気調和機では、室外機の主電力供給部が、電力供給を外部から受けて電源ラインを介して主電力を供給する。室外機の室外制御部が、主電力に基づいた電力の供給を、電源ラインを介して主電力供給部から受けることができる。室外機の室外制御部が、室外機器を制御する。室外機の第１遮断部が、待機状態において、主電力供給部から室外制御部への主電力に基づいた電力の供給を遮断する。室外機の第１室外受信部が、待機状態から運転状態に切り替える際に、起動信号を、室内機側から信号ラインを介して受信する。起動信号が、室外制御部を起動するための直流の信号である。室外機の伝達部が、起動信号を受け取ることができる。室外機の伝達部が、第１室外受信部が受信した起動信号に基づいて、伝達信号を生成して、伝達信号を解除部へ伝達する。第１室外受信部及び伝達部が、発光素子である。ここで、伝達信号を光信号とすることができる。室外機の解除部が、起動信号に基づいて、第１遮断部による遮断を解除する。解除部が、受光素子である。
【００２３】
したがって、第１室外受信部及び伝達部と解除部とを簡易な構成にすることができるので、全体の製作費を低減することができる。
請求項１０に係る空気調和機は、請求項４から８のいずれか１項に記載の空気調和機であって、第１室外受信部は、抵抗素子及び発光素子である。伝達部は、発光素子である。解除部は、受光素子である。
【００２４】
この空気調和機では、室外機の主電力供給部が、電力供給を外部から受けて電源ラインを介して主電力を供給する。室外機の室外制御部が、主電力に基づいた電力の供給を、電源ラインを介して主電力供給部から受けることができる。室外機の室外制御部が、室外機器を制御する。室外機の第１遮断部が、待機状態において、主電力供給部から室外制御部への主電力に基づいた電力の供給を遮断する。室外機の第１室外受信部が、待機状態から運転状態に切り替える際に、起動信号を、室内機側から信号ラインを介して受信する。起動信号が、室外制御部を起動するための直流の信号である。室外機の第１室外受信部が、抵抗素子及び発光素子である。室外機の伝達部が、起動信号を受け取ることができる。室外機の伝達部が、第１室外受信部が受信した起動信号に基づいて、伝達信号を生成して、伝達信号を解除部へ伝達する。伝達部が、発光素子である。ここで、伝達信号を光信号とすることができる。室外機の解除部が、起動信号に基づいて、第１遮断部による遮断を解除する。室外機の解除部が、受光素子である。
【００２５】
したがって、第１室外受信部、伝達部及び解除部を簡易な構成にすることができるので、全体の製作費を低減することができる。
請求項１１に係る空気調和機は、請求項３から１０のいずれか１項に記載の空気調和機であって、室内機は、第３遮断部と第２室内送信部とをさらに有する。第３遮断部は、第１室内送信部と信号ラインとの接続を遮断する。第２室内送信部は、第３遮断部による遮断が行われている際に、室外機側へ送信する信号を、信号ラインを介して送信する。室内制御部は、待機状態から運転状態に切り替える際に、第３遮断部による遮断を解除させる。
【００２６】
この空気調和機では、室外機の主電力供給部が、電力供給を外部から受けて電源ラインを介して主電力を供給する。室外機の室外制御部が、主電力に基づいた電力の供給を、電源ラインを介して主電力供給部から受けることができる。室外機の室外制御部が、室外機器を制御する。室外機の第１遮断部が、待機状態において、主電力供給部から室外制御部への主電力に基づいた電力の供給を遮断する。室内機の室内制御部が、起動信号を生成する。室内機の第１室内送信部が、起動信号を受け取ることができる。第３遮断部が、第１室内送信部と信号ラインとの接続を遮断する。第２室内送信部が、第３遮断部による遮断が行われている際に、室外機側へ送信する信号を、信号ラインを介して送信する。室内制御部が、待機状態から運転状態に切り替える際に、第３遮断部による遮断を解除させる。これにより、室内機の第１室内送信部が、待機状態から運転状態に切り替える際に、起動信号を、信号ラインを介して室外機側へ送信する。室外機の第１室外受信部が、待機状態から運転状態に切り替える際に、起動信号を、室内機側から信号ラインを介して受信する。起動信号が、室外制御部を起動するための直流の信号である。室外機の解除部が、起動信号に基づいて、第１遮断部による遮断を解除する。
【００２７】
したがって、室内機及び室外機を待機状態から運転状態に切り替える際以外は、第１室内送信部と信号ラインとの接続を遮断することができるので、信号ラインを介して送受信される伝送信号に第１室内送信部が悪影響を与えるおそれを低減することができる。
請求項１２に係る空気調和機は、請求項１から１１のいずれか１項に記載の空気調和機であって、室外機は、第４遮断部と第２室外受信部とをさらに有する。第４遮断部は、第１室外受信部と信号ラインとの接続を遮断する。第２室外受信部は、第４遮断部による遮断が行われている際に、室内機側から送信された信号を、信号ラインを介して受信する。第４遮断部は、待機状態から運転状態に切り替える際に、第１室外受信部と信号ラインとの接続の遮断を解除する。
【００２８】
この空気調和機では、室外機の主電力供給部が、電力供給を外部から受けて電源ラインを介して主電力を供給する。室外機の室外制御部が、主電力に基づいた電力の供給を、電源ラインを介して主電力供給部から受けることができる。室外機の室外制御部が、室外機器を制御する。室外機の第１遮断部が、待機状態において、主電力供給部から室外制御部への主電力に基づいた電力の供給を遮断する。第４遮断部が、第１室外受信部と信号ラインとの接続を遮断する。第２室外受信部が、第４遮断部による遮断が行われている際に、室内機側から送信された信号を、信号ラインを介して受信する。第４遮断部が、待機状態から運転状態に切り替える際に、第１室外受信部と信号ラインとの接続の遮断を解除する。これにより、室外機の第１室外受信部が、待機状態から運転状態に切り替える際に、起動信号を、室内機側から信号ラインを介して受信する。起動信号が、室外制御部を起動するための直流の信号である。室外機の解除部が、起動信号に基づいて、第１遮断部による遮断を解除する。
【００２９】
したがって、室内機及び室外機を待機状態から運転状態に切り替える際以外は、第１室外受信部と信号ラインとの接続を遮断することができるので、信号ラインを介して送受信される伝送信号に第１室外受信部が悪影響を与えるおそれを低減することができる。
請求項１３に係る空気調和機は、室内機と、室外機と、室内機と室外機との間で伝送信号を送受信するための信号ラインとを備えた空気調和機であって、室内機は、主電力供給部を有する。主電力供給部は、電力供給を外部から受けて電源ラインを介して主電力を供給する。室外機は、室外制御部と第１遮断部と第１室外受信部と解除部とを有する。室外制御部は、室外機器を制御する。第１遮断部は、待機状態において、主電力供給部から室外制御部への主電力に基づいた電力の供給を遮断する。第１室外受信部は、待機状態から運転状態に切り替える際に、起動信号を、室内機側から信号ラインを介して受信する。起動信号は、室外制御部を起動するための直流の信号である。解除部は、起動信号に基づいて、第１遮断部による遮断を解除する。
【００３０】
この空気調和機では、室内機の主電力供給部が、電力供給を外部から受けて電源ラインを介して主電力を供給する。室外機の室外制御部が、主電力に基づいた電力の供給を、電源ラインを介して主電力供給部から受けることができる。室外機の室外制御部が、室外機器を制御する。室外機の第１遮断部が、待機状態において、主電力供給部から室外制御部への主電力に基づいた電力の供給を遮断する。室外機の第１室外受信部が、待機状態から運転状態に切り替える際に、起動信号を、室内機側から信号ラインを介して受信する。起動信号が、室外制御部を起動するための直流の信号である。室外機の解除部が、起動信号に基づいて、第１遮断部による遮断を解除する。
【００３１】
したがって、室外制御部を起動するための直流の信号である起動信号に基づいて主電力供給部から室外制御部への主電力に基づいた電力の供給の遮断を解除して室外制御部を起動させることができる。このため、交流電力に基づく開閉制御を行う場合に比べて、第１室外受信部や解除部を簡易な構成にすることができる。このため、全体の製作費を低減することができる。
【００３２】
なお、主電力に基づいた電力は、主電力そのものだけでなく、主電力に基づいて生成された電力も含む。「起動信号に基づいて」とは、起動信号そのものに基づくことのほか、起動信号に基づく信号に基づくことも含む。
請求項１４に係る空気調和機は、請求項１３に記載の空気調和機であって、第１遮断部は、待機状態から運転状態に切り替える際に、主電力供給部から室外制御部への主電力に基づいた電力の供給の遮断を解除する。
【００３３】
この空気調和機では、室内機の主電力供給部が、電力供給を外部から受けて電源ラインを介して主電力を供給する。室外機の室外制御部が、主電力に基づいた電力の供給を、電源ラインを介して主電力供給部から受けることができる。室外機の室外制御部が、室外機器を制御する。室外機の第１遮断部が、待機状態において、主電力供給部から室外制御部への主電力に基づいた電力の供給を遮断する。室外機の第１室外受信部が、待機状態から運転状態に切り替える際に、起動信号を、室内機側から信号ラインを介して受信する。起動信号が、室外制御部を起動するための直流の信号である。室外機の解除部が、起動信号に基づいて、第１遮断部による遮断を解除する。室外機の第１遮断部が、待機状態から運転状態に切り替える際に、主電力供給部から室外制御部への主電力に基づいた電力の供給の遮断を解除する。
【００３４】
したがって、室外制御部を起動するための直流の信号である起動信号に基づいて主電力供給部から室外制御部への主電力に基づいた電力の供給の遮断を解除して室外制御部を起動させることができる。このため、交流電力に基づく開閉制御を行う場合に比べて、第１室外受信部や解除部を簡易な構成にすることができる。このため、全体の製作費を低減することができる。
【００３５】
請求項１５に係る空気調和機は、請求項１３又は１４に記載の空気調和機であって、室内機は、室内制御部と第１室内送信部とを有する。室内制御部は、起動信号を生成する。第１室内送信部は、待機状態から運転状態に切り替える際に、起動信号を、信号ラインを介して室外機側へ送信する。
この空気調和機では、室内機の主電力供給部が、電力供給を外部から受けて電源ラインを介して主電力を供給する。室外機の室外制御部が、主電力に基づいた電力の供給を、電源ラインを介して主電力供給部から受けることができる。室外機の室外制御部が、室外機器を制御する。室外機の第１遮断部が、待機状態において、主電力供給部から室外制御部への主電力に基づいた電力の供給を遮断する。室内機の室内制御部が、起動信号を生成する。室内機の第１室内送信部が、起動信号を受け取ることができる。室内機の第１室内送信部が、待機状態から運転状態に切り替える際に、起動信号を、信号ラインを介して室外機側へ送信する。室外機の第１室外受信部が、待機状態から運転状態に切り替える際に、起動信号を、室内機側から信号ラインを介して受信する。起動信号が、室外制御部を起動するための直流の信号である。室外機の解除部が、起動信号に基づいて、第１遮断部による遮断を解除する。
【００３６】
したがって、起動信号を生成して室内機側から室外機側へ送信するので、室内機側から室外制御部を起動することができる。
請求項１６に係る空気調和機は、請求項１３から１５のいずれか１項に記載の空気調和機であって、室外機は、伝達部をさらに有する。伝達部は、第１室外受信部が受信した起動信号に基づいて、伝達信号を生成して、伝達信号を解除部へ伝達する。伝達信号は、解除部に伝達するための信号である。
【００３７】
この空気調和機では、室内機の主電力供給部が、電力供給を外部から受けて電源ラインを介して主電力を供給する。室外機の室外制御部が、主電力に基づいた電力の供給を、電源ラインを介して主電力供給部から受けることができる。室外機の室外制御部が、室外機器を制御する。室外機の第１遮断部が、待機状態において、主電力供給部から室外制御部への主電力に基づいた電力の供給を遮断する。室外機の第１室外受信部が、待機状態から運転状態に切り替える際に、起動信号を、室内機側から信号ラインを介して受信する。起動信号が、室外制御部を起動するための直流の信号である。室外機の伝達部が、起動信号を受け取ることができる。室外機の伝達部が、第１室外受信部が受信した起動信号に基づいて、伝達信号を生成して、伝達信号を解除部へ伝達する。室外機の解除部が、起動信号に基づいて、第１遮断部による遮断を解除する。
【００３８】
したがって、起動信号に基づいて伝達信号を生成して解除部へ伝達するので、起動信号に基づいた信号を解除部が受け取ることができる。
請求項１７に係る空気調和機は、請求項１３から１６のいずれか１項に記載の空気調和機であって、室外機は、制御電力供給部をさらに有する。制御電力供給部は、電源ラインと第１遮断部とを介して主電力の供給を受ける。制御電力供給部は、制御電力を生成して、制御電力を室外制御部へ供給する。制御電力は、室外制御部を起動させるための電力である。主電力に基づいた電力は、制御電力である。
【００３９】
この空気調和機では、室内機の主電力供給部が、電力供給を外部から受けて電源ラインを介して主電力を供給する。室外機の制御電力供給部が、電源ラインと第１遮断部とを介して主電力の供給を受ける。室外機の制御電力供給部が、制御電力を生成して、制御電力を室外制御部へ供給する。室外機の室外制御部が、室外機器を制御する。室外機の第１遮断部が、待機状態において、主電力供給部から室外制御部への主電力に基づいた電力の供給を遮断する。室外機の第１室外受信部が、待機状態から運転状態に切り替える際に、起動信号を、室内機側から信号ラインを介して受信する。起動信号が、室外制御部を起動するための直流の信号である。室外機の解除部が、起動信号に基づいて、第１遮断部による遮断を解除する。
【００４０】
したがって、制御電力を室外制御部へ供給するので、室外制御部を起動することができる。
請求項１８に係る空気調和機は、請求項１３から１７のいずれか１項に記載の空気調和機であって、室外機は、室外駆動電力供給部と第２遮断部とを有する。室外駆動電力供給部は、室外駆動電力を生成して、室外駆動電力を室外機器へ供給する。室外駆動電力は、室外機器を駆動させるための電力である。第２遮断部は、待機状態において、主電力供給部から室外駆動電力供給部への主電力の供給を遮断する。室外駆動電力供給部は、電源ラインと第２遮断部とを介して主電力の供給を受ける。室外制御部は、起動されたことに基づいて、第２遮断部による遮断を解除する。
【００４１】
この空気調和機では、室内機の主電力供給部が、電力供給を外部から受けて電源ラインを介して主電力を供給する。室外機の室外制御部が、主電力に基づいた電力の供給を、電源ラインを介して主電力供給部から受けることができる。室外機の室外制御部が、室外機器を制御する。室外機の第１遮断部が、待機状態において、主電力供給部から室外制御部への主電力に基づいた電力の供給を遮断する。室外駆動電力供給部が、電源ラインと第２遮断部とを介して主電力の供給を受ける。室外駆動電力供給部が、室外駆動電力を生成して、室外駆動電力を室外機器へ供給する。室外機の第２遮断部が、待機状態において、主電力供給部から室外駆動電力供給部への主電力の供給を遮断する。室外機の第１室外受信部が、待機状態から運転状態に切り替える際に、起動信号を、室内機側から信号ラインを介して受信する。起動信号が、室外制御部を起動するための直流の信号である。室外機の解除部が、起動信号に基づいて、第１遮断部による遮断を解除する。これにより、主電力に基づいた電力を室外機の室外制御部に供給することができるので、室外機の室外制御部を起動することができる。室外制御部が、起動されたことに基づいて、第２遮断部による遮断を解除する。
【００４２】
したがって、室外制御部が起動されたことに基づいて第２遮断部による遮断を解除するので、室外駆動電力供給部に主電力を供給することができる。このため、室外機器へ室外駆動電力を供給することができるので、室内機及び室外機を待機状態から運転状態に切り替える際に室外機器を駆動することができる。
請求項１９に係る空気調和機は、請求項１８に記載の空気調和機であって、室外制御部は、運転状態から待機状態に切り替える際に、第１遮断部による遮断を行わせるとともに、第２遮断部による遮断を行わせる。
【００４３】
この空気調和機では、室内機の主電力供給部が、電力供給を外部から受けて電源ラインを介して主電力を供給する。室外機の室外制御部が、主電力に基づいた電力の供給を、電源ラインを介して主電力供給部から受けることができる。室外機の室外制御部が、室外機器を制御する。室外機の第１遮断部が、待機状態において、主電力供給部から室外制御部への主電力に基づいた電力の供給を遮断する。室外駆動電力供給部が、電源ラインと第２遮断部とを介して主電力の供給を受ける。室外駆動電力供給部が、室外駆動電力を生成して、室外駆動電力を室外機器へ供給する。室外機の第２遮断部が、待機状態において、主電力供給部から室外駆動電力供給部への主電力の供給を遮断する。室外機の第１室外受信部が、待機状態から運転状態に切り替える際に、起動信号を、室内機側から信号ラインを介して受信する。起動信号が、室外制御部を起動するための直流の信号である。室外機の解除部が、起動信号に基づいて、第１遮断部による遮断を解除する。これにより、主電力に基づいた電力を室外機の室外制御部に供給することができるので、室外機の室外制御部を起動することができる。室外制御部が、起動されたことに基づいて、第２遮断部による遮断を解除する。室外制御部が、運転状態から待機状態に切り替える際に、第１遮断部による遮断を行わせるとともに、第２遮断部による遮断を行わせる。
【００４４】
したがって、室内機及び室外機を運転状態から待機状態に切り替える際に、第１遮断部による遮断が行われるので、室外制御部への制御電力の供給を遮断することができる。また、第２遮断部による遮断が行われるので、室外機器への駆動電力の供給を遮断することができる。このため、室内機及び室外機の待機状態における消費電力を低減することができる。
【００４５】
請求項２０に係る空気調和機は、請求項１３から１９のいずれか１項に記載の空気調和機であって、室内機又は室外機は、伝送電力供給部をさらに有する。伝送電力供給部は、伝送電力を生成して、信号ラインを介して伝送電力を供給する。伝送電力は、室外機との間で又は室内機との間で信号ラインを介して伝送信号を送受信するための直流電力である。
【００４６】
この空気調和機では、室内機の主電力供給部が、電力供給を外部から受けて電源ラインを介して主電力を供給する。室外機の室外制御部が、主電力に基づいた電力の供給を、電源ラインを介して主電力供給部から受けることができる。室外機の室外制御部が、室外機器を制御する。室外機の第１遮断部が、待機状態において、主電力供給部から室外制御部への主電力に基づいた電力の供給を遮断する。伝送電力供給部が、伝送電力を生成して、信号ラインを介して伝送電力を供給する。室外機の第１室外受信部が、待機状態から運転状態に切り替える際に、起動信号を、室内機側から信号ラインを介して受信する。起動信号が、室外制御部を起動するための直流の信号である。室外機の解除部が、起動信号に基づいて、第１遮断部による遮断を解除する。
【００４７】
したがって、信号ラインに伝送電力を供給するので、信号ラインを介して室外機側から室内機側に起動信号を送信することができる。
請求項２１に係る空気調和機は、請求項１６から２０のいずれか１項に記載の空気調和機であって、第１室外受信部及び伝達部は、発光素子である。解除部は、受光素子である。
【００４８】
この空気調和機では、室内機の主電力供給部が、電力供給を外部から受けて電源ラインを介して主電力を供給する。室外機の室外制御部が、主電力に基づいた電力の供給を、電源ラインを介して主電力供給部から受けることができる。室外機の室外制御部が、室外機器を制御する。室外機の第１遮断部が、待機状態において、主電力供給部から室外制御部への主電力に基づいた電力の供給を遮断する。室外機の第１室外受信部が、待機状態から運転状態に切り替える際に、起動信号を、室内機側から信号ラインを介して受信する。起動信号が、室外制御部を起動するための直流の信号である。室外機の伝達部が、起動信号を受け取ることができる。室外機の伝達部が、第１室外受信部が受信した起動信号に基づいて、伝達信号を生成して、伝達信号を解除部へ伝達する。第１室外受信部及び伝達部が、発光素子である。ここで、伝達信号を光信号とすることができる。室外機の解除部が、起動信号に基づいて、第１遮断部による遮断を解除する。解除部が、受光素子である。
【００４９】
したがって、第１室外受信部及び伝達部と解除部とを簡易な構成にすることができるので、全体の製作費を低減することができる。
請求項２２に係る空気調和機は、請求項１６から２０のいずれか１項に記載の空気調和機であって、第１室外受信部は、抵抗素子及び発光素子である。伝達部は、発光素子である。解除部は、受光素子である。
【００５０】
この空気調和機では、室内機の主電力供給部が、電力供給を外部から受けて電源ラインを介して主電力を供給する。室外機の室外制御部が、主電力に基づいた電力の供給を、電源ラインを介して主電力供給部から受けることができる。室外機の室外制御部が、室外機器を制御する。室外機の第１遮断部が、待機状態において、主電力供給部から室外制御部への主電力に基づいた電力の供給を遮断する。室外機の第１室外受信部が、待機状態から運転状態に切り替える際に、起動信号を、室内機側から信号ラインを介して受信する。起動信号が、室外制御部を起動するための直流の信号である。室外機の第１室外受信部が、抵抗素子及び発光素子である。室外機の伝達部が、起動信号を受け取ることができる。室外機の伝達部が、第１室外受信部が受信した起動信号に基づいて、伝達信号を生成して、伝達信号を解除部へ伝達する。伝達部が、発光素子である。ここで、伝達信号を光信号とすることができる。室外機の解除部が、起動信号に基づいて、第１遮断部による遮断を解除する。室外機の解除部が、受光素子である。
【００５１】
したがって、第１室外受信部、伝達部及び解除部を簡易な構成にすることができるので、全体の製作費を低減することができる。
請求項２３に係る空気調和機は、請求項１５から２２のいずれか１項に記載の空気調和機であって、室内機は、第３遮断部と第２室内送信部とをさらに有する。第３遮断部は、第１室内送信部と信号ラインとの接続を遮断する。第２室内送信部は、第３遮断部による遮断が行われている際に、室外機側へ送信する信号を、信号ラインを介して送信する。室内制御部は、待機状態から運転状態に切り替える際に、第３遮断部による遮断を解除させる。
【００５２】
この空気調和機では、室内機の主電力供給部が、電力供給を外部から受けて電源ラインを介して主電力を供給する。室外機の室外制御部が、主電力に基づいた電力の供給を、電源ラインを介して主電力供給部から受けることができる。室外機の室外制御部が、室外機器を制御する。室外機の第１遮断部が、待機状態において、主電力供給部から室外制御部への主電力に基づいた電力の供給を遮断する。室内機の室内制御部が、起動信号を生成する。室内機の第１室内送信部が、起動信号を受け取ることができる。室内機の第１室内送信部が、待機状態から運転状態に切り替える際に、起動信号を、信号ラインを介して室外機側へ送信する。第３遮断部が、第１室内送信部と信号ラインとの接続を遮断する。第２室内送信部が、第３遮断部による遮断が行われている際に、室外機側へ送信する信号を、信号ラインを介して送信する。室内制御部が、待機状態から運転状態に切り替える際に、第３遮断部による遮断を解除させる。これにより、室内機の第１室内送信部が、待機状態から運転状態に切り替える際に、起動信号を、信号ラインを介して室外機側へ送信することができる。室外機の第１室外受信部が、待機状態から運転状態に切り替える際に、起動信号を、室内機側から信号ラインを介して受信する。起動信号が、室外制御部を起動するための直流の信号である。室外機の解除部が、起動信号に基づいて、第１遮断部による遮断を解除する。
【００５３】
したがって、室内機及び室外機を待機状態から運転状態に切り替える際以外は、第１室内送信部と信号ラインとの接続を遮断することができるので、信号ラインを介して送受信される伝送信号に第１室内送信部が悪影響を与えるおそれを低減することができる。
請求項２４に係る空気調和機は、請求項１３から２３のいずれか１項に記載の空気調和機であって、室外機は、第４遮断部と第２室外受信部とをさらに有する。第４遮断部は、第１室外受信部と信号ラインとの接続を遮断する。第２室外受信部は、第４遮断部による遮断が行われている際に、室内機側から送信された信号を、信号ラインを介して受信する。第４遮断部は、待機状態から運転状態に切り替える際に、第１室外受信部と信号ラインとの接続の遮断を解除する。
【００５４】
この空気調和機では、室内機の主電力供給部が、電力供給を外部から受けて電源ラインを介して主電力を供給する。室外機の室外制御部が、主電力に基づいた電力の供給を、電源ラインを介して主電力供給部から受けることができる。室外機の室外制御部が、室外機器を制御する。室外機の第１遮断部が、待機状態において、主電力供給部から室外制御部への主電力に基づいた電力の供給を遮断する。第４遮断部が、第１室外受信部と信号ラインとの接続を遮断する。第２室外受信部が、第４遮断部による遮断が行われている際に、室内機側から送信された信号を、信号ラインを介して受信する。第４遮断部が、待機状態から運転状態に切り替える際に、第１室外受信部と信号ラインとの接続の遮断を解除する。室外機の第１室外受信部が、待機状態から運転状態に切り替える際に、起動信号を、室内機側から信号ラインを介して受信する。起動信号が、室外制御部を起動するための直流の信号である。室外機の解除部が、起動信号に基づいて、第１遮断部による遮断を解除する。
【００５５】
したがって、室内機及び室外機を待機状態から運転状態に切り替える際以外は、第１室外受信部と信号ラインとの接続を遮断することができるので、信号ラインを介して送受信される伝送信号に第１室外受信部が悪影響を与えるおそれを低減することができる。
請求項２５に係る制御方法は、空気調和機が制御される制御方法であって、主電力供給ステップと遮断ステップと室外受信ステップと解除ステップとを備える。空気調和機は、室内機と、室外機と、室内機と室外機との間で伝送信号を送受信するための信号ラインとを備える。主電力供給ステップでは、電力供給が外部から室外機側で受けられて、電源ラインを介して主電力が供給される。遮断ステップでは、室内機及び室外機の待機状態において、室外制御部への主電力に基づいた電力の供給が遮断される。室外制御部は、室外機器を制御する。室外受信ステップでは、室内機及び室外機が待機状態から運転状態に切り替えられる際に、起動信号が、室内機側から信号ラインを介して室外機側で受信される。起動信号は、室外制御部を起動するための直流の信号である。解除ステップでは、起動信号に基づいて、遮断ステップによる遮断が解除される。
【００５６】
この制御方法では、主電力供給部ステップにおいて、電力供給が外部から室外機側で受けられて、電源ラインを介して主電力が供給される。主電力供給部ステップにおいて、主電力に基づいた電力の供給が、電源ラインを介して室外制御部で受けられ得る。遮断ステップにおいて、室内機及び室外機の待機状態において、室外制御部への主電力に基づいた電力の供給が遮断される。室外受信ステップにおいて、室内機及び室外機が待機状態から運転状態に切り替えられる際に、起動信号が、室内機側から信号ラインを介して室外機側で受信される。起動信号が、室外制御部を起動するための直流の信号である。解除ステップにおいて、起動信号に基づいて、第１遮断部による遮断が解除される。
【００５７】
したがって、室外制御部を起動するための直流の信号である起動信号に基づいて室外制御部への主電力に基づいた電力の供給の遮断を解除して室外制御部を起動させることができる。このため、交流電力に基づく開閉制御を行う場合に比べて、室外受信ステップや解除ステップに用いられる回路を簡易な構成にすることができる。このため、全体の製作費を低減することができる。
【００５８】
なお、主電力に基づいた電力は、主電力そのものだけでなく、主電力に基づいて生成された電力も含む。「起動信号に基づいて」とは、起動信号そのものに基づくことのほか、起動信号に基づく信号に基づくことも含む。
請求項２６に係る制御方法は、空気調和機が制御される制御方法であって、主電力供給ステップと遮断ステップと室外受信ステップと解除ステップとを備える。空気調和機は、室内機と、室外機と、室内機と室外機との間で伝送信号を送受信するための信号ラインとを備える。主電力供給ステップでは、電力供給が外部から室内機側で受けられて、電源ラインを介して主電力が供給される。遮断ステップでは、室内機及び室外機の待機状態において、室外制御部への主電力に基づいた電力の供給が遮断される。室外制御部は、室外機器を制御する。室外受信ステップでは、室内機及び室外機が待機状態から運転状態に切り替えられる際に、起動信号が、室内機側から信号ラインを介して室外機側で受信される。起動信号は、室外制御部を起動するための直流の信号である。解除ステップでは、起動信号に基づいて、遮断ステップによる遮断が解除される。
【００５９】
この制御方法では、主電力供給部ステップにおいて、電力供給が外部から室内機側で受けられて、電源ラインを介して主電力が供給される。主電力供給部ステップにおいて、主電力に基づいた電力の供給が、電源ラインを介して室外制御部で受けられ得る。遮断ステップにおいて、室内機及び室外機の待機状態において、室外制御部への主電力に基づいた電力の供給が遮断される。室外受信ステップにおいて、室内機及び室外機が待機状態から運転状態に切り替えられる際に、起動信号が、室内機側から信号ラインを介して室外機側で受信される。起動信号が、室外制御部を起動するための直流の信号である。解除ステップにおいて、起動信号に基づいて、第１遮断部による遮断が解除される。
【００６０】
したがって、室外制御部を起動するための直流の信号である起動信号に基づいて室外制御部への主電力に基づいた電力の供給の遮断を解除して室外制御部を起動させることができる。このため、交流電力に基づく開閉制御を行う場合に比べて、室外受信ステップや解除ステップに用いられる回路を簡易な構成にすることができる。このため、全体の製作費を低減することができる。
【００６１】
なお、主電力に基づいた電力は、主電力そのものだけでなく、主電力に基づいて生成された電力も含む。「起動信号に基づいて」とは、起動信号そのものに基づくことのほか、起動信号に基づく信号に基づくことも含む。
【発明の効果】
【００６２】
請求項１に係る空気調和機では、室外制御部を起動するための直流の信号である起動信号に基づいて主電力供給部から室外制御部への主電力に基づいた電力の供給の遮断を解除して室外制御部を起動させることができる。このため、交流電力に基づく開閉制御を行う場合に比べて、第１室外受信部や解除部を簡易な構成にすることができる。このため、全体の製作費を低減することができる。
【００６３】
請求項２に係る空気調和機では、室外制御部を起動するための直流の信号である起動信号に基づいて主電力供給部から室外制御部への主電力に基づいた電力の供給の遮断を解除して室外制御部を起動させることができる。このため、交流電力に基づく開閉制御を行う場合に比べて、第１室外受信部や解除部を簡易な構成にすることができる。このため、全体の製作費を低減することができる。
【００６４】
請求項３に係る空気調和機では、起動信号を生成して室内機側から室外機側へ送信するので、室内機側から室外制御部を起動することができる。
請求項４に係る空気調和機では、起動信号に基づいて伝達信号を生成して解除部へ伝達するので、起動信号に基づいた信号を解除部が受け取ることができる。
請求項５に係る空気調和機では、第１遮断部による遮断が解除されたことに応じて制御電力を室外制御部へ供給することができるので、室外制御部を起動することができる。
【００６５】
請求項６に係る空気調和機では、室外制御部が起動されたことに基づいて第２遮断部による遮断を解除するので、室外駆動電力供給部に主電力を供給することができる。このため、室外機器へ室外駆動電力を供給することができるので、室内機及び室外機を待機状態から運転状態に切り替える際に室外機器を駆動することができる。
請求項７に係る空気調和機では、室内機及び室外機を運転状態から待機状態に切り替える際に、第１遮断部による遮断が行われるので、待機状態において室外制御部への制御電力の供給を遮断することができる。また、第２遮断部による遮断が行われるので、待機状態において室外機器への室外駆動電力の供給を遮断することができる。このため、室内機及び室外機の待機状態における消費電力を低減することができる。
【００６６】
請求項８に係る空気調和機では、信号ラインに伝送電力を供給するので、信号ラインを介して室外機側から室内機側に起動信号を送信することができる。
請求項９に係る空気調和機では、第１室外受信部及び伝達部と解除部とを簡易な構成にすることができるので、全体の製作費を低減することができる。
請求項１０に係る空気調和機では、第１室外受信部、伝達部及び解除部を簡易な構成にすることができるので、全体の製作費を低減することができる。
【００６７】
請求項１１に係る空気調和機では、室内機及び室外機を待機状態から運転状態に切り替える際以外は、第１室内送信部と信号ラインとの接続を遮断することができるので、信号ラインを介して送受信される伝送信号に第１室内送信部が悪影響を与えるおそれを低減することができる。
請求項１２に係る空気調和機では、室内機及び室外機を待機状態から運転状態に切り替える際以外は、第１室外受信部と信号ラインとの接続を遮断することができるので、信号ラインを介して送受信される伝送信号に第１室外受信部が悪影響を与えるおそれを低減することができる。
【００６８】
請求項１３に係る空気調和機では、室外制御部を起動するための直流の信号である起動信号に基づいて主電力供給部から室外制御部への主電力に基づいた電力の供給の遮断を解除して室外制御部を起動させることができる。このため、交流電力に基づく開閉制御を行う場合に比べて、第１室外受信部や解除部を簡易な構成にすることができる。このため、全体の製作費を低減することができる。
【００６９】
請求項１４に係る空気調和機では、室外制御部を起動するための直流の信号である起動信号に基づいて主電力供給部から室外制御部への主電力に基づいた電力の供給の遮断を解除して室外制御部を起動させることができる。このため、交流電力に基づく開閉制御を行う場合に比べて、第１室外受信部や解除部を簡易な構成にすることができる。このため、全体の製作費を低減することができる。
【００７０】
請求項１５に係る空気調和機では、起動信号を生成して室内機側から室外機側へ送信するので、室内機側から室外制御部を起動することができる。
請求項１６に係る空気調和機では、起動信号に基づいて伝達信号を生成して解除部へ伝達するので、起動信号に基づいた信号を解除部が受け取ることができる。
請求項１７に係る空気調和機では、制御電力を室外制御部へ供給するので、室外制御部を起動することができる。
【００７１】
請求項１８に係る空気調和機では、室外制御部が起動されたことに基づいて第２遮断部による遮断を解除するので、室外駆動電力供給部に主電力を供給することができる。このため、室外機器へ室外駆動電力を供給することができるので、室内機及び室外機を待機状態から運転状態に切り替える際に室外機器を駆動することができる。
請求項１９に係る空気調和機では、室内機及び室外機を運転状態から待機状態に切り替える際に、第１遮断部による遮断が行われるので、室外制御部への制御電力の供給を遮断することができる。また、第２遮断部による遮断が行われるので、室外機器への駆動電力の供給を遮断することができる。このため、室内機及び室外機の待機状態における消費電力を低減することができる。
【００７２】
請求項２０に係る空気調和機では、信号ラインに伝送電力を供給するので、信号ラインを介して室外機側から室内機側に起動信号を送信することができる。
請求項２１に係る空気調和機では、第１室外受信部及び伝達部と解除部とを簡易な構成にすることができるので、全体の製作費を低減することができる。
請求項２２に係る空気調和機では、第１室外受信部、伝達部及び解除部を簡易な構成にすることができるので、全体の製作費を低減することができる。
【００７３】
請求項２３に係る空気調和機では、室内機及び室外機を待機状態から運転状態に切り替える際以外は、第１室内送信部と信号ラインとの接続を遮断することができるので、信号ラインを介して送受信される伝送信号に第１室内送信部が悪影響を与えるおそれを低減することができる。
請求項２４に係る空気調和機では、室内機及び室外機を待機状態から運転状態に切り替える際以外は、第１室外受信部と信号ラインとの接続を遮断することができるので、信号ラインを介して送受信される伝送信号に第１室外受信部が悪影響を与えるおそれを低減することができる。
【００７４】
請求項２５に係る制御方法では、室外制御部を起動するための直流の信号である起動信号に基づいて室外制御部への主電力に基づいた電力の供給の遮断を解除して室外制御部を起動させることができる。このため、交流電力に基づく開閉制御を行う場合に比べて、室外受信ステップや解除ステップに用いられる回路を簡易な構成にすることができる。このため、全体の製作費を低減することができる。
【００７５】
請求項２６に係る制御方法では、室外制御部を起動するための直流の信号である起動信号に基づいて室外制御部への主電力に基づいた電力の供給の遮断を解除して室外制御部を起動させることができる。このため、交流電力に基づく開閉制御を行う場合に比べて、室外受信ステップや解除ステップに用いられる回路を簡易な構成にすることができる。このため、全体の製作費を低減することができる。
【発明を実施するための最良の形態】
【００７６】
［第１実施形態］
本発明の第１実施形態にかかる空気調和機１の構成図を図１に示す。また、空気調和機１の構成要素の回路図を図２〜図４に示す。
＜空気調和機１の全体構成＞
この空気調和機１は、図１に示すように、主として室内機１０，室外機２０，信号ラインＳ，高圧側電源ラインＡＣＬ及び基準側電源ラインＡＣＮを備える。信号ラインＳは、室内機１０と室外機２０との間で伝送信号を送受信するために設けられている。高圧側電源ラインＡＣＬ及び基準側電源ラインＡＣＮは、室内機１０と室外機２０とに接続されており、室外機２０で外部から受けた電力を室内機１０及び室外機２０に供給するために設けられている。
【００７７】
＜室外機２０の構成＞
図１に示す室外機２０は、主として主電力供給部２６，主電力供給ラインＬＡＣ，信号ラインＳ，高圧側電源ラインＡＣＬ，基準側電源ラインＡＣＮ，制御電力供給部２２，室外駆動電力供給部２３，室外マイコン２１，メーク接点ＭＲＭ１０，メーク接点ＭＲＭ２０，メーク接点ＭＲＭ１１，メーク接点Ｓ１，第１室外受信部２４，第２室外送受信部２５，受光素子Ｑ１，制御電力制御部２８，整流回路ＤＢ１及び平滑コンデンサＣ１を備える。第１室外受信部２４は、主として発光素子Ｄ１を備える。
【００７８】
図１に示す主電力供給部２６が、電力供給を外部から受けて、主電力供給ラインＬＡＣと高圧側電源ラインＡＣＬ及び基準側電源ラインＡＣＮとを介して主電力を供給する。制御電力供給部２２が、主電力供給ラインＬＡＣと高圧側電源ラインＡＣＬ及び基準側電源ラインＡＣＮと整流回路ＤＢ１及び平滑コンデンサＣ１とメーク接点Ｓ１と制御電力制御部２８とを介して、主電力供給部２６から主電力の供給を受ける。制御電力供給部２２が、制御電力を生成して、制御電力を室外マイコン２１へ供給する。ここで、制御電力は、室外マイコン２１を起動させるための電力である。室外マイコン２１が、室外機器（例えば、モータ、圧縮機、アクチュエータなど、以下同様）を制御する。室外駆動電力供給部２３が、主電力供給ラインＬＡＣと高圧側電源ラインＡＣＬ及び基準側電源ラインＡＣＮとメーク接点ＭＲＭ１０及びメーク接点ＭＲＭ２０及びメーク接点ＭＲＭ１１とを介して主電力の供給を受ける。室外駆動電力供給部２３が、室外駆動電力を生成して、室外駆動電力を室外機器へ供給する。ここで、室外駆動電力は、室外機器を駆動させるための電力である。
【００７９】
図１に示す室外マイコン２１が、運転状態から待機状態に切り替える際に、メーク接点Ｓ１による遮断を行わせるとともに、メーク接点ＭＲＭ１０及びメーク接点ＭＲＭ２０及びメーク接点ＭＲＭ１１による遮断を行わせる。メーク接点Ｓ１による遮断が行われることにより、制御電力制御部２８に直流電力が入力されなくなる。制御電力制御部２８は、直流電力が入力されなくなったことに応じて、制御電力供給部２２を休止状態にする。
【００８０】
図１に示すメーク接点Ｓ１が、待機状態において、主電力に基づいた電力すなわち主電力（交流電力）を整流回路ＤＢ１及び平滑コンデンサＣ１で整流平滑化した直流電力の主電力供給部２６から制御電力供給部２２への供給を遮断する。このため、制御電力供給部２２から室外マイコン２１への直流電力に基づいた電力すなわち制御電力の供給も遮断される。これにより、メーク接点Ｓ１が、待機状態において、主電力供給部２６から室外マイコン２１への主電力に基づいた電力すなわち制御電力の供給を遮断する。メーク接点ＭＲＭ１０及びメーク接点ＭＲＭ２０及びメーク接点ＭＲＭ１１が、待機状態において、主電力供給部２６から室外駆動電力供給部２３への主電力の供給を遮断する。
【００８１】
図１に示す第１室外受信部２４の発光素子Ｄ１が、待機状態から運転状態に切り替える際に、起動信号を、室内機１０側から信号ラインＳを介して受信する。ここで、起動信号は、室外マイコン２１を起動するための直流の信号である。発光素子Ｄ１が、受信した起動信号に基づいて、伝達信号を生成して、伝達信号を受光素子Ｑ１へ伝達する。ここで、伝達信号は、受光素子Ｑ１に伝達するための信号であり、光信号である。受光素子Ｑ１が伝達信号を受光してＯＮ状態となり、通電されたことによりメーク接点Ｓ１が開状態から閉状態になる。すなわち、受光素子Ｑ１が、起動信号に基づいて、メーク接点Ｓ１による遮断を解除する。そして、制御電力制御部２８に直流電力が入力される。制御電力制御部２８は、直流電力が入力されたことに応じて、制御電力供給部２２の休止状態を解除する。制御電力供給部２２は、休止状態を解除されたことに応じて、制御電力の生成及び供給を再開する。すなわち、メーク接点Ｓ１が、待機状態から運転状態に切り替える際に、主電力供給部２６から室外マイコン２１への主電力に基づいた電力すなわち制御電力の供給の遮断を解除する。その結果、主電力に基づいた電力すなわち制御電力が室外マイコン２１に供給されるので、室外マイコン２１が起動される。室外マイコン２１が、起動されたことに基づいて、メーク接点ＭＲＭ１０及びメーク接点ＭＲＭ２０及びメーク接点ＭＲＭ１１による遮断を解除する。
【００８２】
図１に示す第２室外送受信部２５は、運転状態において、信号ラインＳを介して室内機１０から送信された信号を受信する。あるいは、第２室外送受信部２５は、運転状態において、信号ラインＳを介して室内機１０へ信号を送信する。
＜室内機１０の構成＞
図１に示す室内機１０は、主として室内電力供給部１３，信号ラインＳ，高圧側電源ラインＡＣＬ，基準側電源ラインＡＣＮ，第１室内送受信部１５，室内マイコン１１及び伝送電力供給部１７を備える。
【００８３】
図１に示す室内電力供給部１３が、主電力供給ラインＬＡＣと高圧側電源ラインＡＣＬ及び基準側電源ラインＡＣＮとを介して、主電力供給部２６から主電力の供給を受ける。室内電力供給部１３が、室内マイコン１１を稼働させるための電力である室内電力を、生成し、室内マイコン１１へ供給する。伝送電力供給部１７が、主電力供給ラインＬＡＣと高圧側電源ラインＡＣＬ及び基準側電源ラインＡＣＮとを介して、主電力供給部２６から主電力の供給を受ける。伝送電力供給部１７が、伝送電力を生成して、信号ラインＳを介して伝送電力を供給する。ここで、伝送電力は、室外機２０との間で信号ラインＳを介して伝送信号を送受信するための直流電力である。室内マイコン１１が、起動信号を生成する。第１室内送受信部１５が、起動信号を、発光素子（図示せず）及び受光素子（図示せず）などを介して室内マイコン１１から受け取る。第１室内送受信部１５が、待機状態から運転状態に切り替える際に、起動信号を、信号ラインＳを介して室外機２０側へ送信する。
【００８４】
図１に示す第１室内送受信部１５は、運転状態において、信号ラインＳを介して室外機２０から送信された信号を受信する。あるいは、第１室内送受信部１５は、運転状態において、信号ラインＳを介して室外機２０へ信号を送信する。
＜第１室内送受信部１５の構成＞
図１に示す第１室内送受信部１５は、図２に示すように、主として送信素子Ｑ１５１，受信素子Ｄ１５２，端子１５１及び端子１５２を備える。ここで、送信素子Ｑ１５１は受光素子である。受信素子Ｄ１５２は発光素子である。
【００８５】
図２に示す端子１５２は信号ラインＳを介して室外機２０に接続され、端子１５１は信号ラインＳを介して伝送電力供給部１７（図１参照）に接続されている。信号ラインＳを介して室外機２０から信号が送信された際に、その信号が信号ラインＳの電流の遮断として端子１５２に入力される。そして、信号ラインＳの電流の遮断は、受信素子Ｄ１５２や送信素子Ｑ１５１へと伝達される。受信素子Ｄ１５２は、信号ラインＳの電流の遮断により発光しなくなり、信号ラインＳを介して室外機２０から送信された信号を光信号の遮断に変換する。そして、受光素子（図示せず）を介して、室内マイコン１１（図１参照）に信号（光信号の遮断）が伝達される。このようにして、信号ラインＳを介して室外機２０から送信された信号が、第１室内送受信部１５で受信される。
【００８６】
室内マイコン１１（図１参照）が、室外機２０へ送信する起動信号を、発光素子（図示せず）を介して、光信号として伝達する。その光信号は、図２に示す受光素子Ｑ１５１で受光され、受光素子Ｑ１５１がＯＮ状態となる。したがって、受光素子Ｑ１５１の両端の電圧が減少し、室外機２０へ送信する起動信号が、信号ラインＳの電圧レベルの上昇として、端子１５２と信号ラインＳとを経由して室外機２０へ送信される。このようにして、信号ラインＳを介して室外機２０へ送信する起動信号が、第１室内送受信部１５から送信される。
【００８７】
室内マイコン１１（図１参照）が、室外機２０へ送信する信号（起動信号を除く）を、発光素子（図示せず）を介して、光信号の遮断として伝達する。その光信号の遮断は、図２に示す送信素子Ｑ１５１で感知され、送信素子Ｑ１５１がＯＦＦ状態となる。これにより、送信素子Ｑ１５１に電流が流れなくなり、室外機２０へ送信する信号（起動信号を除く）が、信号ラインＳの電流の遮断として、端子１５２と信号ラインＳとを経由して室外機２０へ送信される。このようにして、信号ラインＳを介して室外機２０へ送信する信号（起動信号を除く）が、第１室内送受信部１５から送信される。
【００８８】
＜第１室外受信部２４及び第２室外送受信部２５の構成＞
図１に示す第２室外送受信部２５は、図３に示すように、主として送信素子Ｑ２５１，受信素子Ｄ２５２，定電圧素子ＺＤ２５１，定電圧素子ＺＤ２５２，端子２５１及び端子２５２を備える。ここで、送信素子Ｑ２５１は受光素子である。受信素子Ｄ２５２は発光素子である。
【００８９】
図３に示す端子２５２は信号ラインＳを介して室内機１０に接続され、端子２５１は信号ラインＳと第１室外受信部２４（図１参照）とを介して基準側電源ラインＡＣＮに接続されている。信号ラインＳを介して室外機２０から起動信号が送信された際に、その起動信号が信号ラインＳの電圧レベルの上昇として端子２５２に入力される。そして、信号ラインＳの電圧レベルの上昇は、受光素子Ｑ２５１や発光素子Ｄ２５２や発光素子Ｄ１（図１参照）へと伝達される。ここで、受光素子Ｑ２５１の両端の電圧は定電圧素子ＺＤ２５１と定電圧素子ＺＤ２５２とにより一定値以上には上昇しないので、信号ラインＳの電圧レベルの上昇は、主として発光素子Ｄ１５２と発光素子Ｄ１（図１参照）とへ伝達されることになる。すなわち、発光素子Ｄ１（図１参照）は、両端に係る電圧の上昇により発光し、信号ラインＳを介して室外機２０から送信された起動信号を伝達信号に変換する。ここで、伝達信号は、受光素子Ｑ１に伝達するための信号であり、光信号である。発光素子Ｄ１５２は、両端に係る電圧の上昇により発光し、信号ラインＳを介して室外機２０から送信された信号を光信号に変換する。そして、受光素子（図示せず）を介して、室外マイコン２１に起動信号が伝達される。あるいは、受光素子Ｑ１（図１参照）に起動信号が伝達される。このようにして、信号ラインＳを介して室外機２０から送信された信号が、第１室外受信部２４及び第２室外送受信部２５で受信される。
【００９０】
待機状態において図１に示す第１室外受信部２４及び第２室外送受信部２５で起動信号が受信された場合、室外マイコン２１は停止しているので、室外マイコン２１に起動信号が伝達されても、室外マイコン２１は起動信号を受け取らない。一方、受光素子Ｑ１は、起動信号に基づいて、メーク接点Ｓ１による遮断を解除する。
図３に示す端子２５２は信号ラインＳを介して室内機１０に接続され、端子２５１は信号ラインＳと第１室外受信部２４（図１参照）とを介して基準側電源ラインＡＣＮに接続されている。信号ラインＳを介して室外機２０から信号（起動信号を除く）が送信された際に、その信号（起動信号を除く）が信号ラインＳの電流の遮断として端子２５２に入力される。そして、信号ラインＳの電流の遮断は、送信素子Ｑ２５１や受信素子Ｄ２５２へと伝達される。受信素子Ｄ１５２は、信号ラインＳの電流の遮断により発光しなくなり、信号ラインＳを介して室外機２０から送信された信号（起動信号を除く）を光信号の遮断に変換する。そして、受光素子（図示せず）を介して、室外マイコン２１に信号（光信号の遮断）が伝達される。このようにして、信号ラインＳを介して室外機２０から送信された信号（光信号の遮断であり起動信号を除く）が、第２室外送受信部２５で受信される。
【００９１】
図１に示す第１室外受信部２４は、主として発光素子Ｄ１を備える。
図１に示す室外マイコン２１が、室内機１０へ送信する信号を、発光素子（図示せず）を介して、光信号の遮断として伝達する。その光信号の遮断は、図３に示す送信素子Ｑ２５１で感知され、送信素子Ｑ２５１がＯＦＦ状態となる。これにより、送信素子Ｑ２５１に電流が流れなくなり、室内機１０へ送信する信号が、信号ラインＳの電流の遮断として、端子２５２と信号ラインＳとを経由して室内機１０へ送信される。このようにして、信号ラインＳを介して室内機１０へ送信する信号が、第２室外送受信部２５から送信される。
【００９２】
＜伝送電力供給部１７の構成＞
図１に示す伝送電力供給部１７は、図４に示すように、主として整流素子Ｄ１７１，定電圧素子ＺＤ１７１，平滑コンデンサＣ１７１，端子１７１及び端子１７２を備える。
図１に示す主電力供給ラインＬＡＣと高圧側電源ラインＡＣＬ及び基準側電源ラインＡＣＮと端子１７１及び端子１７２とを介して供給された主電力は、整流素子Ｄ１７１で交流電力から直流電力へ変換される。整流素子Ｄ１７１で整流された直流電力は、平滑コンデンサＣ１７１で平滑化される。整流平滑化された直流電力は、定電圧素子ＺＤ１７１で一定値以上に上昇しないように調整される。調整後の直流電力は、伝送電力として、信号ラインＳを介して端子１７３から供給される。
【００９３】
＜空気調和機１の動作＞
図１に示す空気調和機１の動作を、図５に示すフローチャートを用いて説明する。
図５に示すステップＳ１では、主電力が供給される。すなわち、図１に示す主電力供給部２６により、電力供給が外部から受けられて、主電力供給ラインＬＡＣと高圧側電源ラインＡＣＬ及び基準側電源ラインＡＣＮとを介して主電力が供給される。室内電力供給部１３により、主電力供給ラインＬＡＣと高圧側電源ラインＡＣＬ及び基準側電源ラインＡＣＮとを介して、主電力供給部２６から主電力の供給が受けられる。室内電力供給部１３により、室内マイコン１１を稼働させるための電力である室内電力が、生成され、室内マイコン１１へ供給される。
【００９４】
図５に示すステップＳ２では、伝送電力が供給される。すなわち、図１に示す伝送電力供給部１７により、主電力供給ラインＬＡＣと高圧側電源ラインＡＣＬ及び基準側電源ラインＡＣＮとを介して主電力の供給が受けられる。伝送電力供給部１７により、伝送電力が生成されて、信号ラインＳを介して伝送電力が供給される。ここで、伝送電力は、室外機２０との間で信号ラインＳを介して伝送信号を送受信するための直流電力である。
【００９５】
図５に示すステップＳ３では、待機状態から運転状態に切り替えるか否かが室内マイコン１１により判断される。待機状態から運転状態に切り替えると判断された場合、ステップＳ１０へ進められ、待機状態から運転状態に切り替えないと判断された場合、ステップＳ４へ進められる。
図５に示すステップＳ４では、運転状態から待機状態に切り替えるか否かが室内マイコン１１により判断される。運転状態から待機状態に切り替えると判断された場合、ステップＳ５へ進められ、運転状態から待機状態に切り替えないと判断された場合、ステップＳ７へ進められる。
【００９６】
図５に示すステップＳ５では、第２遮断部による遮断が行われる。すなわち、運転状態から待機状態に切り替える旨の信号が、図１に示す室内マイコン１１から第１室内送受信部１５へ伝達され、信号ラインＳを介して室内機１０から室外機２０へ送信される。運転状態から待機状態に切り替える旨の信号が、室外機２０の第２室外送受信部２５で受信され、室外マイコン２１へ伝達される。室外マイコン２１により、第２遮断部すなわちメーク接点ＭＲＭ１０，メーク接点ＭＲＭ２０及びメーク接点ＭＲＭ１１が開状態にされる。メーク接点ＭＲＭ１０，メーク接点ＭＲＭ２０及びメーク接点ＭＲＭ１１により、主電力供給部２６から室外駆動電力供給部２３への主電力の供給が遮断される。
【００９７】
図５に示すステップＳ６では、第１遮断部による遮断が行われる。すなわち、図１に示す室外マイコン２１により、第１遮断部すなわちメーク接点Ｓ１が、開状態にされる。メーク接点Ｓ１による遮断が行われることにより、制御電力制御部２８に直流電力が入力されなくなる。制御電力制御部２８により、直流電力が入力されなくなったことに応じて、制御電力供給部２２が休止状態にされる。すなわち、メーク接点Ｓ１により、主電力に基づいた電力すなわち主電力（交流電力）が整流回路ＤＢ１及び平滑コンデンサＣで整流平滑化された直流電力の主電力供給部２６から制御電力供給部２２への供給が遮断される。このため、制御電力供給部２２から室外マイコン２１への直流電力に基づいた電力すなわち制御電力の供給も遮断される。その結果、メーク接点Ｓ１により、主電力供給部２６から室外マイコン２１への主電力に基づいた電力すなわち制御電力の供給が遮断される。
【００９８】
図５に示すステップＳ７では、運転状態であるか否かが室内マイコン１１により判断される。運転状態であると判断された場合、ステップＳ８へ進められ、運転状態でないすなわち待機状態であると判断された場合、ステップＳ１５へ進められる。
図５に示すステップＳ８では、制御電力が供給される。すなわち、図１に示す制御電力供給部２２により、主電力供給ラインＬＡＣと高圧側電源ラインＡＣＬ及び基準側電源ラインＡＣＮとを介して主電力の供給が受けられる。制御電力供給部２２により、制御電力が生成されて、制御電力が室外マイコン２１へ供給される。ここで、制御電力は、室外マイコン２１を起動させるための電力である。
【００９９】
図５に示すステップＳ９では、室外駆動電力が供給される。すなわち、図１に示す室外駆動電力供給部２３により、主電力供給ラインＬＡＣと高圧側電源ラインＡＣＬ及び基準側電源ラインＡＣＮとメーク接点ＭＲＭ１０及びメーク接点ＭＲＭ２０及びメーク接点ＭＲＭ１１とを介して主電力の供給が受けられる。室外駆動電力供給部２３により、室外駆動電力が生成されて、室外駆動電力が室外機器へ供給される。ここで、室外駆動電力は、室外機器を駆動させるための電力である。
【０１００】
図５に示すステップＳ１０では、起動信号が送信される。すなわち、図１に示す室内機１０の室内マイコン１１により、起動信号が生成される。ここで、起動信号は、室外マイコン２１を起動するための直流の信号である。第１室内送受信部１５により、起動信号が、発光素子（図示せず）及び受光素子（図示せず）などを介して室内マイコン１１から受け取られる。第１室内送受信部１５により、起動信号が、信号ラインＳを介して室外機２０側へ送信される。
【０１０１】
図５に示すステップＳ１１では、第１遮断部による遮断が解除される。すなわち、図１に示す第１室外受信部２４の発光素子Ｄ１により、受信した起動信号に基づいて、伝達信号が生成されて、伝達信号が受光素子Ｑ１へ伝達される。ここで、伝達信号は、受光素子Ｑ１に伝達するための信号であり、光信号である。受光素子Ｑ１により伝達信号が受光されて受光素子Ｑ１がＯＮ状態にされ、通電されたことによりメーク接点Ｓ１が開状態から閉状態にされる。すなわち、受光素子Ｑ１により、起動信号に基づいて、メーク接点Ｓ１による遮断が解除される。そして、制御電力制御部２８に直流電力が入力される。制御電力制御部２８により、直流電力が入力されたことに応じて、制御電力供給部２２の休止状態が解除される。制御電力供給部２２により、休止状態を解除されたことに応じて、制御電力の生成及び供給が再開される。すなわち、メーク接点Ｓ１により、待機状態から運転状態に切り替える際に、主電力供給部２６から室外マイコン２１への主電力に基づいた電力すなわち制御電力の供給の遮断が解除される。
【０１０２】
図５に示すステップＳ１２では、制御電力が供給される。すなわち、図１に示す制御電力供給部２２により、主電力供給ラインＬＡＣと高圧側電源ラインＡＣＬ及び基準側電源ラインＡＣＮと整流回路ＤＢ１及び平滑コンデンサＣ１とメーク接点Ｓ１と制御電力制御部２８とを介して、主電力供給部２６から主電力の供給が受けられる。制御電力供給部２２により、制御電力が生成されて、制御電力が室外マイコン２１へ供給される。その結果、室外マイコン２１が起動される。
【０１０３】
図５に示すステップＳ１３では、第２遮断部による遮断が解除される。すなわち、図１に示す室外マイコン２１により、起動されたことに基づいて、第２遮断部すなわちメーク接点ＭＲＭ１０，メーク接点ＭＲＭ２０及びメーク接点ＭＲＭ１１が開状態から閉状態にされる。メーク接点ＭＲＭ１０，メーク接点ＭＲＭ２０及びメーク接点ＭＲＭ１１により、主電力供給部２６から室外駆動電力供給部２３への主電力の供給の遮断が解除される。
【０１０４】
図５に示すステップＳ１４では、室外駆動電力が供給される。すなわち、図１に示す室外駆動電力供給部２３により、主電力供給ラインＬＡＣと高圧側電源ラインＡＣＬ及び基準側電源ラインＡＣＮとメーク接点ＭＲＭ１０及びメーク接点ＭＲＭ２０及びメーク接点ＭＲＭ１１とを介して主電力の供給が受けられる。室外駆動電力供給部２３により、室外駆動電力が生成されて、室外駆動電力が室外機器へ供給される。
【０１０５】
図５に示すステップＳ１５では、主電源がＯＦＦされるか否かが判断される。主電源がＯＦＦされると判断された場合、処理が終了され、主電源がＯＦＦされないと判断された場合、ステップＳ１へ進められる。
＜空気調和機１における特徴＞
（１）
ここでは、図１に示す室外機２０の主電力供給部２６が、電力供給を外部から受けて、主電力供給ラインＬＡＣと高圧側電源ラインＡＣＬ及び基準側電源ラインＡＣＮとを介して主電力を供給する。室外機２０の室外マイコン２１が、主電力に基づいた電力すなわち制御電力の供給を、主電力供給ラインＬＡＣと高圧側電源ラインＡＣＬ及び基準側電源ラインＡＣＮと整流回路ＤＢ１及び平滑コンデンサＣ１とメーク接点Ｓ１と制御電力制御部２８と制御電力供給部２２とを介して主電力供給部２６から受ける。室外機２０の室外マイコン２１が、室外機器を制御する。室外機２０のメーク接点Ｓ１が、待機状態において、主電力供給部２６から室外マイコン２１への主電力に基づいた電力すなわち制御電力の供給を遮断する。室外機２０の第１室外受信部２４が、待機状態から運転状態に切り替える際に、起動信号を、室内機１０側から信号ラインＳを介して受信する。起動信号が、室外マイコン２１を起動するための直流の信号である。室外機２０の受光素子Ｑ１が、起動信号に基づいて、メーク接点Ｓ１による遮断を解除する。室外機２０のメーク接点Ｓ１が、待機状態から運転状態に切り替える際に、主電力供給部２６から室外マイコン２１への主電力に基づいた電力すなわち制御電力の供給の遮断を解除する。
【０１０６】
したがって、室外マイコン２１を起動するための直流の信号である起動信号に基づいて主電力供給部２６から室外マイコン２１への主電力に基づいた電力すなわち制御電力の供給の遮断を解除して室外マイコン２１を起動させることが可能である。このため、交流電力に基づく開閉制御を行う場合に比べて、第１室外受信部２４や解除部（受光素子Ｑ１）を簡易な構成にすることが可能である。このため、全体の製作費を低減することが可能である。
【０１０７】
（２）
ここでは、図１に示す室外機２０の主電力供給部２６が、電力供給を外部から受けて、主電力供給ラインＬＡＣと高圧側電源ラインＡＣＬ及び基準側電源ラインＡＣＮとを介して主電力を供給する。室外機２０の室外マイコン２１が、主電力に基づいた電力すなわち制御電力の供給を、主電力供給ラインＬＡＣと高圧側電源ラインＡＣＬ及び基準側電源ラインＡＣＮと整流回路ＤＢ１及び平滑コンデンサＣ１とメーク接点Ｓ１と制御電力制御部２８と制御電力供給部２２とを介して主電力供給部２６から受ける。室外機２０の室外マイコン２１が、室外機器を制御する。室外機２０のメーク接点Ｓ１が、待機状態において、主電力供給部２６から室外マイコン２１への主電力に基づいた電力すなわち制御電力の供給を遮断する。室内機１０の室内マイコン１１が、起動信号を生成する。室内機１０の第１室内送受信部１５が、起動信号を、発光素子（図示せず）及び受光素子（図示せず）などを介して室内マイコン１１から受け取る。室内機１０の第１室内送受信部１５が、待機状態から運転状態に切り替える際に、起動信号を、信号ラインＳを介して室外機２０側へ送信する。室外機２０の第１室外受信部２４が、待機状態から運転状態に切り替える際に、起動信号を、室内機１０側から信号ラインＳを介して受信する。起動信号が、室外マイコン２１を起動するための直流の信号である。室外機２０の受光素子Ｑ１が、起動信号に基づいて、メーク接点Ｓ１による遮断を解除する。
【０１０８】
したがって、起動信号を生成して室内機１０側から室外機２０側へ送信するので、室内機１０側から室外マイコン２１を起動することが可能である。
（３）
ここでは、図１に示す室外機２０の主電力供給部２６が、電力供給を外部から受けて、主電力供給ラインＬＡＣと高圧側電源ラインＡＣＬ及び基準側電源ラインＡＣＮとを介して主電力を供給する。室外機２０の室外マイコン２１が、主電力に基づいた電力すなわち制御電力の供給を、主電力供給ラインＬＡＣと高圧側電源ラインＡＣＬ及び基準側電源ラインＡＣＮと整流回路ＤＢ１及び平滑コンデンサＣ１とメーク接点Ｓ１と制御電力制御部２８と制御電力供給部２２とを介して主電力供給部２６から受ける。室外機２０の室外マイコン２１が、室外機器を制御する。室外機２０のメーク接点Ｓ１が、待機状態において、主電力供給部２６から室外マイコン２１への主電力に基づいた電力すなわち制御電力の供給を遮断する。室外機２０の発光素子Ｄ１（第１室外受信部）が、待機状態から運転状態に切り替える際に、起動信号を、室内機１０側から信号ラインＳを介して受信する。起動信号が、室外マイコン２１を起動するための直流の信号である。室外機２０の発光素子Ｄ１（伝達部）が、受信した起動信号に基づいて、伝達信号（光信号）を生成して、伝達信号を受光素子Ｑ１（解除部）へ伝達する。室外機２０の受光素子Ｑ１（解除部）が、起動信号に基づいて、メーク接点Ｓ１による遮断を解除する。
【０１０９】
したがって、起動信号に基づいて伝達信号を生成して受光素子Ｑ１（解除部）へ伝達するので、起動信号に基づいた信号を受光素子Ｑ１（解除部）が受け取ることが可能である。
（４）
ここでは、図１に示す室外機２０の主電力供給部２６が、電力供給を外部から受けて、主電力供給ラインＬＡＣと高圧側電源ラインＡＣＬ及び基準側電源ラインＡＣＮとを介して主電力を供給する。制御電力供給部２２が、主電力供給ラインＬＡＣと高圧側電源ラインＡＣＬ及び基準側電源ラインＡＣＮと整流回路ＤＢ１及び平滑コンデンサＣ１とメーク接点Ｓ１と制御電力制御部２８とを介して、主電力供給部２６から主電力の供給を受ける。制御電力供給部２２が、制御電力を生成して、制御電力を室外マイコン２１へ供給する。室外機２０の室外マイコン２１が、室外機器を制御する。室外機２０のメーク接点Ｓ１が、待機状態において、主電力供給部２６から室外マイコン２１への主電力に基づいた電力の供給を遮断する。室外機２０の第１室外受信部２４が、待機状態から運転状態に切り替える際に、起動信号を、室内機１０側から信号ラインＳを介して受信する。起動信号が、室外マイコン２１を起動するための直流の信号である。室外機２０の受光素子Ｑ１（解除部）が、起動信号に基づいて、メーク接点Ｓ１による遮断を解除する。
【０１１０】
したがって、メーク接点Ｓ１による遮断が解除されたことに応じて制御電力を室外マイコン２１へ供給することが可能であるので、室外マイコン２１を起動することが可能である。
（５）
ここでは、図１に示す室外機２０の主電力供給部２６が、電力供給を外部から受けて、主電力供給ラインＬＡＣと高圧側電源ラインＡＣＬ及び基準側電源ラインＡＣＮとを介して主電力を供給する。室外機２０の室外マイコン２１が、主電力に基づいた電力すなわち制御電力の供給を、主電力供給ラインＬＡＣと高圧側電源ラインＡＣＬ及び基準側電源ラインＡＣＮと整流回路ＤＢ１及び平滑コンデンサＣ１とメーク接点Ｓ１と制御電力制御部２８と制御電力供給部２２とを介して主電力供給部２６から受ける。室外機２０の室外マイコン２１が、室外機器を制御する。室外機２０のメーク接点Ｓ１が、待機状態において、主電力供給部２６から室外マイコン２１への主電力に基づいた電力すなわち制御電力の供給を遮断する。室外駆動電力供給部２３が、主電力供給ラインＬＡＣと高圧側電源ラインＡＣＬ及び基準側電源ラインＡＣＮとメーク接点ＭＲＭ１０及びメーク接点ＭＲＭ２０及びメーク接点ＭＲＭ１１とを介して主電力の供給を受ける。室外駆動電力供給部２３が、室外駆動電力を生成して、室外駆動電力を室外機器へ供給する。室外機２０のメーク接点ＭＲＭ１０及びメーク接点ＭＲＭ２０及びメーク接点ＭＲＭ１１が、待機状態において、主電力供給部２６から室外駆動電力供給部２３への主電力の供給を遮断する。室外機２０の第１室外受信部２４が、待機状態から運転状態に切り替える際に、起動信号を、室内機１０側から信号ラインＳを介して受信する。起動信号が、室外マイコン２１を起動するための直流の信号である。室外機２０の受光素子Ｑ１（解除部）が、起動信号に基づいて、メーク接点Ｓ１による遮断を解除する。これにより、主電力に基づいた電力すなわち制御電力を室外機２０の室外マイコン２１に供給するので、室外機２０の室外マイコン２１が起動する。室外マイコン２１が、起動されたことに基づいて、メーク接点ＭＲＭ１０及びメーク接点ＭＲＭ２０及びメーク接点ＭＲＭ１１による遮断を解除する。
【０１１１】
したがって、室外マイコン２１が起動されたことに基づいてメーク接点ＭＲＭ１０及びメーク接点ＭＲＭ２０及びメーク接点ＭＲＭ１１による遮断を解除するので、室外駆動電力供給部２３に主電力を供給することが可能である。このため、室外機器へ室外駆動電力を供給することが可能であるので、室内機１０及び室外機２０を待機状態から運転状態に切り替える際に室外機器を駆動することが可能である。
【０１１２】
（６）
ここでは、図１に示す室外機２０の主電力供給部２６が、電力供給を外部から受けて、主電力供給ラインＬＡＣと高圧側電源ラインＡＣＬ及び基準側電源ラインＡＣＮとを介して主電力を供給する。室外機２０の室外マイコン２１が、主電力に基づいた電力すなわち制御電力の供給を、主電力供給ラインＬＡＣと高圧側電源ラインＡＣＬ及び基準側電源ラインＡＣＮと整流回路ＤＢ１及び平滑コンデンサＣ１とメーク接点Ｓ１と制御電力制御部２８と制御電力供給部２２とを介して主電力供給部２６から受ける。室外機２０の室外マイコン２１が、室外機器を制御する。室外機２０のメーク接点Ｓ１が、待機状態において、主電力供給部２６から室外マイコン２１への主電力に基づいた電力すなわち制御電力の供給を遮断する。室外駆動電力供給部２３が、主電力供給ラインＬＡＣと高圧側電源ラインＡＣＬ及び基準側電源ラインＡＣＮとメーク接点ＭＲＭ１０及びメーク接点ＭＲＭ２０及びメーク接点ＭＲＭ１１とを介して主電力の供給を受ける。室外駆動電力供給部２３が、室外駆動電力を生成して、室外駆動電力を室外機器へ供給する。室外機２０のメーク接点ＭＲＭ１０及びメーク接点ＭＲＭ２０及びメーク接点ＭＲＭ１１が、待機状態において、主電力供給部２６から室外駆動電力供給部２３への主電力の供給を遮断する。室外機２０の第１室外受信部２４が、待機状態から運転状態に切り替える際に、起動信号を、室内機１０側から信号ラインＳを介して受信する。起動信号が、室外マイコン２１を起動するための直流の信号である。室外機２０の受光素子Ｑ１（解除部）が、起動信号に基づいて、メーク接点Ｓ１による遮断を解除する。これにより、主電力に基づいた電力すなわち制御電力を室外機２０の室外マイコン２１に供給するので、室外機２０の室外マイコン２１が起動する。室外マイコン２１が、起動されたことに基づいて、メーク接点ＭＲＭ１０及びメーク接点ＭＲＭ２０及びメーク接点ＭＲＭ１１による遮断を解除する。室外マイコン２１が、運転状態から待機状態に切り替える際に、メーク接点Ｓ１による遮断を行わせるとともに、メーク接点ＭＲＭ１０及びメーク接点ＭＲＭ２０及びメーク接点ＭＲＭ１１による遮断を行わせる。
【０１１３】
したがって、室内機１０及び室外機２０を運転状態から待機状態に切り替える際に、メーク接点Ｓ１による遮断が行われるので、待機状態において室外マイコン２１への制御電力の供給を遮断することが可能である。また、メーク接点ＭＲＭ１０及びメーク接点ＭＲＭ２０及びメーク接点ＭＲＭ１１による遮断が行われるので、待機状態において室外機器への室外駆動電力の供給を遮断することが可能である。このため、室内機１０及び室外機２０の待機状態における消費電力を低減することが可能である。
【０１１４】
（７）
ここでは、図１に示す室外機２０の主電力供給部２６が、電力供給を外部から受けて、主電力供給ラインＬＡＣと高圧側電源ラインＡＣＬ及び基準側電源ラインＡＣＮとを介して主電力を供給する。制御電力供給部２２が、主電力供給ラインＬＡＣと高圧側電源ラインＡＣＬ及び基準側電源ラインＡＣＮと整流回路ＤＢ１及び平滑コンデンサＣ１とメーク接点Ｓ１と制御電力制御部２８とを介して、主電力供給部２６から主電力の供給を受ける。制御電力供給部２２が、制御電力を生成して、制御電力を室外マイコン２１へ供給する。室外機２０の室外マイコン２１が、室外機器を制御する。室外機２０のメーク接点Ｓ１が、待機状態において、主電力供給部２６から室外マイコン２１への主電力に基づいた電力の供給を遮断する。室内機１０の伝送電力供給部１７が、伝送電力を生成して、信号ラインＳを介して伝送電力を供給する。室外機２０の第１室外受信部２４が、待機状態から運転状態に切り替える際に、起動信号を、室内機１０側から信号ラインＳを介して受信する。起動信号が、室外マイコン２１を起動するための直流の信号である。室外機２０の受光素子Ｑ１（解除部）が、起動信号に基づいて、メーク接点Ｓ１による遮断を解除する。
【０１１５】
したがって、信号ラインＳに伝送電力を供給するので、信号ラインＳを介して室外機２０側から室内機１０側に起動信号を送信することが可能である。
（８）
ここでは、図１に示す室外機２０の主電力供給部２６が、電力供給を外部から受けて、主電力供給ラインＬＡＣと高圧側電源ラインＡＣＬ及び基準側電源ラインＡＣＮとを介して主電力を供給する。制御電力供給部２２が、主電力供給ラインＬＡＣと高圧側電源ラインＡＣＬ及び基準側電源ラインＡＣＮと整流回路ＤＢ１及び平滑コンデンサＣ１とメーク接点Ｓ１と制御電力制御部２８とを介して、主電力供給部２６から主電力の供給を受ける。制御電力供給部２２が、制御電力を生成して、制御電力を室外マイコン２１へ供給する。室外機２０の室外マイコン２１が、室外機器を制御する。室外機２０のメーク接点Ｓ１が、待機状態において、主電力供給部２６から室外マイコン２１への主電力に基づいた電力の供給を遮断する。室外機２０の発光素子Ｄ１（第１室外受信部）が、待機状態から運転状態に切り替える際に、起動信号を、室内機１０側から信号ラインＳを介して受信する。起動信号が、室外マイコン２１を起動するための直流の信号である。室外機の発光素子Ｄ１（伝達部）が、受信した起動信号に基づいて、伝達信号を生成して、伝達信号を受光素子Ｑ１へ伝達する。第１室外受信部及び伝達部が、発光素子Ｄ１である。ここで、伝達信号は光信号である。室外機２０の受光素子Ｑ１（解除部）が、起動信号に基づいて、メーク接点Ｓ１による遮断を解除する。解除部が、受光素子Ｑ１である。
【０１１６】
したがって、第１室外受信部及び伝達部（発光素子Ｄ１）や解除部（受光素子Ｑ１）を簡易な構成にすることが可能であるので、全体の製作費を低減することが可能である。
＜第１実施形態の変形例＞
（Ａ）図１に示す室内機１０は、メーク接点ＭＲ１０をさらに備えていてもよい。この場合、空気調和機１ａは、図６に示すような構成となる。すなわち、待機状態においてメーク接点ＭＲ１０が主電力供給部２６から伝送電力供給部１７への主電力の供給を遮断する。室内マイコン１１ａは、起動信号を生成して第１室内送受信部１５に渡す際に、メーク接点ＭＲ１０を開状態から閉状態にさせる。これにより、第１室内送受信部１５が、待機状態から運転状態に切り替える際に、起動信号を、信号ラインＳを介して室外機２０側へ送信することができる。また、待機状態において伝送電力供給部１７への主電力の供給を遮断するので、待機状態における消費電力をさらに低減することができる。
【０１１７】
（Ｂ）伝送電力供給部２７ｂは、図７に示すように、室内機１０ｂでなく室外機２０ｂに備えられていてもよい。この場合、第１室外受信部２４ｂの発光素子Ｄ１ｂは、発光素子Ｄ１（図１参照）と向きが逆になる。また、第１室内送受信部１５ｂは、第１室内送受信部１５（図１参照）と向きが逆になり、図８に示すような構成になる。このとき、図８に示す端子１５１ｂは信号ラインＳを介して室外機２０に接続され、端子１５２ｂは基準側電源ラインＡＣＮに接続されている。信号ラインＳを介して室外機２０から信号が送信された際に、その信号が信号ラインＳの電流の遮断として端子１５１ｂに入力される。そして、信号ラインＳの電流の遮断は、送信素子Ｑ１５１や受信素子Ｄ１５２へと伝達される。受信素子Ｄ１５２は、信号ラインＳの電流の遮断により発光しなくなり、信号ラインＳを介して室外機２０から送信された信号を光信号の遮断に変換する。そして、受光素子（図示せず）を介して、室内マイコン１１（図７参照）に信号（光信号の遮断）が伝達される。このようにして、信号ラインＳを介して室外機２０から送信された信号が、室内送受信部１５ｂで受信される。
【０１１８】
室内マイコン１１（図７参照）が、室外機２０へ送信する起動信号を、発光素子（図示せず）を介して、光信号として伝達する。その光信号は、図８に示す送信素子Ｑ１５１で受光され、送信素子Ｑ１５１がＯＮ状態となる。これにより、送信素子Ｑ１５１の両端の電圧が減少し、室外機２０へ送信する信号が、信号ラインＳの電圧レベルの低下として、端子１５１ｂと信号ラインＳとを経由して室外機２０へ送信される。このようにして、信号ラインＳを介して室外機２０へ送信する起動信号が、室内送受信部１５ｂから送信される。
【０１１９】
室内マイコン１１（図７参照）が、室外機２０へ送信する信号（起動信号を除く）を、発光素子（図示せず）を介して、光信号の遮断として伝達する。その光信号の遮断は、図８に示す送信素子Ｑ１５１で感知され、送信素子Ｑ１５１がＯＦＦ状態となる。これにより、送信素子Ｑ１５１に電流が流れなくなり、室外機２０へ送信する信号（起動信号を除く）が、信号ラインＳの電流の遮断として、端子１５１ｂと信号ラインＳとを経由して室外機２０へ送信される。このようにして、信号ラインＳを介して室外機２０へ送信する信号（起動信号を除く）が、室内送受信部１５ｂから送信される。
【０１２０】
さらに、図７に示す第２室外送信部２５ｂは、第２室外送受信部２５（図１参照）と向きが逆になり、図９に示すような構成になる。図９に示す端子２５１ｂは信号ラインＳを介して室内機１０に接続され、端子２５２ｂは信号ラインＳと第１室外受信部２４ｂとを介して伝送電力供給部２７ｂ（図７参照）に接続されている。信号ラインＳを介して室内機１０から起動信号が送信された際に、その起動信号が信号ラインＳの電圧レベルの低下として端子２５１ｂに入力される。そして、信号ラインＳの電圧レベルの低下は、発光素子Ｄ２５２や受光素子Ｑ２５１へと伝達される。ここで、受光素子Ｑ２５１の両端の電圧は定電圧素子ＺＤ２５１と定電圧素子ＺＤ２５２とにより一定値以上には上昇しないので、信号ラインＳの電圧レベルの低下は、主として発光素子Ｄ２５２へ伝達されることになる。すなわち、発光素子Ｄ２５２は、信号ラインＳの電圧レベルの低下により両端の電圧が上昇し、両端の電圧の上昇により発光し、信号ラインＳを介して室外機２０から送信された信号を光信号に変換する。そして、受光素子（図示せず）を介して、室外マイコン２１（図７参照）に信号が伝達される。このようにして、信号ラインＳを介して室内機１０から送信された起動信号が、室外送受信部２５ｂで受信される。
【０１２１】
信号ラインＳを介して室内機１０から信号（起動信号を除く）が送信された際に、その信号（起動信号を除く）が信号ラインＳの電流の遮断として端子２５１ｂに入力される。そして、信号ラインＳの電流の遮断は、受信素子Ｄ２５２や送信素子Ｑ２５１へと伝達される。受信素子Ｄ２５２は、信号ラインＳの電流の遮断により発光しなくなり、信号ラインＳを介して室外機２０から送信された信号（起動信号を除く）を光信号の遮断に変換する。そして、受光素子（図示せず）を介して、室外マイコン２１（図７参照）に信号（光信号の遮断であり起動信号を除く）が伝達される。このようにして、信号ラインＳを介して室内機１０から送信された信号が、室外送受信部２５ｂで受信される。
【０１２２】
室外マイコン２１（図７参照）が、室内機１０へ送信する信号を、発光素子（図示せず）を介して、光信号として伝達する。その光信号は、送信素子Ｑ２５１で受光され、送信素子Ｑ２５１がＯＮ状態となる。したがって、送信素子Ｑ２５１の両端の電圧が減少し、室内機１０へ送信する信号が、信号ラインＳの電圧レベルの上昇として、端子２５１と信号ラインＳとを経由して室内機１０へ送信される。このようにして、信号ラインＳを介して室内機１０へ送信する信号が、室外送受信部２５ｂから送信される。
【０１２３】
（Ｃ）主電力供給部１６ｃは、図１０に示すように、室外機２０ｃでなく室内機１０ｃに備えられていてもよい。この場合、図１０に示す室内機１０ｃの主電力供給部１６ｃが、電力供給を外部から受けて、主電力供給ラインＬＡＣと高圧側電源ラインＡＣＬ及び基準側電源ラインＡＣＮとを介して主電力を供給する。
（Ｄ）図１に示す第１室内送受信部１５は、図２に示すように、抵抗素子Ｒ１５１，整流素子Ｄ１５１，定電圧素子ＺＤ１５１及び抵抗素子Ｒ１５２の少なくとも１つをさらに備えてもよい。抵抗素子Ｒ１５１は、送信素子Ｑ１５１や受信素子Ｄ１５２に流れる電流を制限する。整流素子Ｄ１５１は、電流が逆流することを防止する。定電圧素子ＺＤ１５１は、送信素子Ｑ１５１の両端に過電圧が印可されることを防止する。抵抗素子Ｒ１５２は、受信素子Ｄ１５２の両端に過電圧が印可されることを防止する。なお、図８に示す第１室内送受信部１５ｂについても同様である。
【０１２４】
図１に示す第２室外送受信部２５は、図３に示すように、整流素子Ｄ２５１，抵抗素子Ｒ２５１，抵抗素子Ｒ２５２及び抵抗素子Ｒ２５３の少なくとも１つをさらに備えてもよい。整流素子Ｄ２５１は、電流が逆流することを防止する。抵抗素子Ｒ２５１は、送信素子Ｑ２５１や受信素子Ｄ２５２に流れる電流を制限する。抵抗素子Ｒ２５２は、受信素子Ｄ２５２に過電流が流れることを防止する。抵抗素子Ｒ２５３は、送信素子Ｑ１５１に過電流が流れることを防止する。なお、図９に示す第２室外送受信部２５ｂについても同様である。
【０１２５】
図１に示す室外機２０の高圧側電源ラインＡＣＬ上には、抵抗素子Ｒ１１がさらに備えられていてもよい。抵抗素子Ｒ１１は、メーク接点ＭＲＭ１０やメーク接点ＭＲＭ２０に過電流が流れることを防止する。受光素子Ｑ１に直列に抵抗素子Ｒ２１が接続されていてもよい。抵抗素子Ｒ２１は、受光素子Ｑ１に過電流が流れることを防止する。図１に示す平滑コンデンサＣ１と抵抗素子Ｒ２１との間にコイル（図示せず）が設けられていてもよい。この場合、整流回路ＤＢ１で整流された電圧がさらに平滑化されることになる。
【０１２６】
（Ｅ）図１に示す制御電力制御部２８は、無くてもよい。この場合、メーク接点Ｓ１は、整流回路ＤＢ１と制御電力供給部２２との間に設けられ、主電力を整流平滑化した直流電力の制御電力供給部２２への供給を遮断することになる。主電力供給部２６から制御電力供給部２２へは、主電力が直接供給されてもよい。主電力供給部２６から室外マイコン２１へは、主電力が直接供給されてもよい。この場合、制御電力供給部２２及び制御電力制御部２８は、無くてもよい。受光素子Ｑ１は、トランジスタＱ１ａ（図示せず）であってもよい。起動信号は、直接的にトランジスタＱ１ａ（図示せず）に供給されてもよい。例えば、信号ラインＳに並列に所定値以上の電圧で開状態から閉状態に変わるメーク接点が接続され、そのメーク接点の先がトランジスタＱ１ａのベース端子（あるいは、電界効果型トランジスタであればゲート端子）に接続されていてもよい。第１室外受信部２４は、さらに抵抗素子（図示せず）を備えていてもよい。このとき、抵抗素子（図示せず）により、第１室外受信部２４の発光素子Ｄ１に過電流が流れることが防止される。図４に示す伝送電力供給部１７は、抵抗素子Ｒ１７２をさらに備えてもよい。抵抗素子Ｒ１７２は、定電圧素子ＺＤ１７１や平滑コンデンサＣ１７１に過電流が流れることを防止する。
【０１２７】
［第２実施形態］
本発明の第２実施形態にかかる空気調和機１００の構成図を図１１に示す。図１１に示す空気調和機１００は、主として室内機１１０，室外機１２０，信号ラインＳ，高圧側電源ラインＡＣＬ及び基準側電源ラインＡＣＮを備える。
この空気調和機１００は、図１１に示すように、基本的な構造は第１実施形態と同様であるが、室内機１１０が伝送電力供給部１７（図１参照）を備えておらず第１室内送信部１１４をさらに備えている点と、室外機１２０が伝送電力供給部１２７をさらに備えている点とで第１実施形態と異なる。すなわち、室内機１１０の室内マイコン１１が、起動信号を生成する。第１室内送信部１１４が、起動信号を、発光素子（図示せず）及び受光素子（図示せず）などを介して室内マイコン１１１から受け取る。第１室内送信部１１４が、待機状態から運転状態に切り替える際に、起動信号を、信号ラインＳを介して室外機１２０側へ送信する。図１に示す第１室外受信部１２４の発光素子Ｄ１０１が、待機状態から運転状態に切り替える際に、起動信号を、室内機１０側から信号ラインＳを介して受信する。すなわち、発光素子Ｄ１０１が信号ラインＳと基準側電源ラインＡＣＮとの電位差（又は発光素子Ｄ１０１に流れる電流値）が所定値以上になったことに応じて発光する。また、第２室内送受信部１１５は、信号ラインＳを介して室外機２０から送信された信号を受信する。あるいは、第２室内送受信部１１５は、信号ラインＳを介して室外機１２０へ信号（起動信号を除く）を送信する。これらの点で第１実施形態と異なる。なお、第２室内送受信部１１５は、図２に示す第１室内送受信部１５と同様の構成であってもよい。
【０１２８】
図１１に示す室外マイコン２１を起動するための直流の信号である起動信号に基づいて主電力供給部２６から室外マイコン２１への主電力に基づいた電力すなわち制御電力の供給の遮断を解除して室外マイコン２１を起動させることが可能である点は、第１実施形態と同様である。このため、交流電力に基づく開閉制御を行う場合に比べて、第１室外受信部１２４や解除部（受光素子Ｑ１）を簡易な構成にすることが可能である点も、第１実施形態と同様である。したがって、このような空気調和機１００によっても、全体の製作費を低減することが可能である。
【０１２９】
＜第２実施形態の変形例＞
（Ａ）第１室内送信部１１４は、例えば、図１２に示すような構成にすることができる。すなわち、第１室内送信部１１４は、図１２に示すように、主として、受光素子Ｑ１４１，整流素子Ｄ１４１，抵抗素子Ｒ１４１，端子１４１及び端子１４２を備える。端子１４１は、室内電力供給部１３が供給する室内電力の供給を受けてもよいし、高圧側電源ラインＡＣＬから主電力の供給を受けてもよい。端子１４２は、信号ラインＳに接続される。起動信号が光信号として室内マイコン１１１から伝達され、起動信号が受光素子Ｑ１４１で受光される。受光素子Ｑ１４１は、ＯＮ状態となり、端子１４２の電圧レベルが上昇する。すなわち、起動信号が信号ラインＳの電圧レベルの上昇として室外機１２０へ送信される。
【０１３０】
（Ｂ）第１室外受信部１２４は、抵抗素子Ｒ２２をさらに備えていてもよい。抵抗素子Ｒ２２を備えることにより、発光素子Ｄ１０１にかかる電圧（又は発光素子Ｄ１０１に流れる電流）を調整することができる。
（Ｃ）待機状態において信号ラインＳに伝送電力が供給されていなくてもよい。また、伝送電力供給部１２７ａは、図１３に示すように、メーク接点Ｓ１と直列に接続されていてもよい。この場合でも、上記変形例（Ａ）で示すように、第１室内送信部１１４に電力が供給されていれば、伝送電力供給部１２７ａが停止していても、信号ラインＳの電圧レベルを上昇させることが可能である。すなわち、起動信号を室内機１１０から室外機１２０ａへ送信することが可能である。
【０１３１】
（Ｄ）主電力供給部１１６ｂは、図１４に示すように、室外機１２０ｂでなく室内機１１０ｂに備えられていてもよい。この場合、図１４に示す室内機１１０ｂの主電力供給部１１６ｂが、電力供給を外部から受けて、主電力供給ラインＬＡＣと高圧側電源ラインＡＣＬ及び基準側電源ラインＡＣＮとを介して主電力を供給する。
［第３実施形態］
本発明の第３実施形態にかかる空気調和機２００の構成図を図１５に示す。図１５に示す空気調和機２００は、主として室内機２１０，室外機２２０，信号ラインＳ，高圧側電源ラインＡＣＬ及び基準側電源ラインＡＣＮを備える。
【０１３２】
この空気調和機２００は、図１５に示すように、基本的な構造は第１実施形態及び第２実施形態と同様であるが、室内機２１０がメーク接点Ｓ２をさらに備えている点と、室外機２２０が切換接点Ｓ３をさらに備えている点とで、第１実施形態及び第２実施形態と異なる。
すなわち、図１５に示す室内機２１０のメーク接点Ｓ２が、第１室内送信部１１４と信号ラインＳとの接続を遮断する。第２室内送受信部１１５が、メーク接点Ｓ２による遮断が行われている際に、室外機２２０側へ送信する信号を、信号ラインＳを介して送信する。室内マイコン１１１が、待機状態から運転状態に切り替える際に、メーク接点Ｓ２による遮断を解除させる。これにより、室内機２１０の第１室内送信部１１４が、待機状態から運転状態に切り替える際に、起動信号を、信号ラインＳを介して室外機２２０側へ送信する。したがって、室内機２１０及び室外機２２０を待機状態から運転状態に切り替える際以外は、第１室内送信部１１４と信号ラインＳとの接続を遮断することが可能であるので、信号ラインＳを介して送受信される伝送信号に第１室内送信部１１４が悪影響を与えるおそれが低減される。
【０１３３】
また、図１５に示す室外機２２０の切換接点Ｓ３が、第１室外受信部１２４と信号ラインＳとの接続を遮断する。第２室外送受信部２５が、切換接点Ｓ３による遮断が行われている際に、室内機２１０側から送信された信号（信号ラインＳの電圧レベルの低下）を、信号ラインＳを介して受信する。切換接点Ｓ３が、起動信号すなわち信号ラインＳの電圧レベルの上昇を感知して、閉状態から開状態に変わる。すなわち、切換接点Ｓ３が、待機状態から運転状態に切り替える際に、第１室外受信部１２４と信号ラインＳとの接続の遮断を解除する。これにより、室外機２２０の第１室外受信部１２４が、待機状態から運転状態に切り替える際に、起動信号を、室内機２１０側から信号ラインＳを介して受信する。したがって、室内機２１０及び室外機２２０を待機状態から運転状態に切り替える際以外は、第１室外受信部１２４と信号ラインＳとの接続を遮断することが可能であるので、信号ラインＳを介して送受信される伝送信号に第１室外受信部１２４が悪影響を与えるおそれが低減される。これらの点で、第１実施形態及び第２実施形態と異なる。
【０１３４】
図１５に示す室外マイコン２１を起動するための直流の信号である起動信号に基づいて主電力供給部２６から室外マイコン２１への主電力に基づいた電力すなわち制御電力の供給の遮断を解除して室外マイコン２１を起動させることが可能である点は、第１実施形態と同様である。このため、交流電力に基づく開閉制御を行う場合に比べて、第１室外受信部１２４や解除部（受光素子Ｑ１）を簡易な構成にすることが可能である点も、第１実施形態と同様である。したがって、このような空気調和機２００によっても、全体の製作費を低減することが可能である。
【０１３５】
＜第３実施形態の変形例＞
（Ａ）図１５に示す伝送電力供給部１２７が室外機２２０ではなく室内機２１０に備えられている場合、室内機２１０から室外機２２０への信号は、信号ラインＳの電圧レベルの上昇として送信されることになる。この場合、起動信号による信号ラインＳの電圧レベルの上昇を、通常の伝送信号による信号ラインＳの電圧レベルの上昇よりも大きくすることにより、起動信号が送信されたときのみ、切換接点Ｓ３が開状態から閉状態に変わるようにすることができる。
【０１３６】
（Ｂ）主電力供給部２１６ａは、図１６に示すように、室外機２２０ａでなく室内機２１０ａに備えられていてもよい。この場合、図１６に示す室内機２１０ａの主電力供給部２１６ａが、電力供給を外部から受けて、主電力供給ラインＬＡＣと高圧側電源ラインＡＣＬ及び基準側電源ラインＡＣＮとを介して主電力を供給する。
【産業上の利用可能性】
【０１３７】
本発明にかかる空気調和機及び制御方法は、全体の製作費を低減することができるという効果を有し、空気調和機及び制御方法等として有用である。
【図面の簡単な説明】
【０１３８】
【図１】本発明の第１実施形態による空気調和機の構成図。
【図２】本発明の第１実施形態による第１室内送受信部の回路図。
【図３】本発明の第１実施形態による第２室外送受信部の回路図。
【図４】本発明の第１実施形態による伝送電力供給部の回路図。
【図５】空気調和機の動作を説明するフローチャート。
【図６】本発明の第１実施形態による空気調和機の構成図。
【図７】本発明の第１実施形態による空気調和機の構成図。
【図８】本発明の第１実施形態による第１室内送受信部の回路図。
【図９】本発明の第１実施形態による第２室外送受信部の回路図。
【図１０】本発明の第１実施形態による空気調和機の構成図。
【図１１】本発明の第２実施形態による空気調和機の構成図。
【図１２】本発明の第２実施形態による第１室内送信部の回路図。
【図１３】本発明の第２実施形態による空気調和機の構成図。
【図１４】本発明の第２実施形態による空気調和機の構成図。
【図１５】本発明の第３実施形態による空気調和機の構成図。
【図１６】本発明の第３実施形態による空気調和機の構成図。
【符号の説明】
【０１３９】
１，１ａ，１ｂ，１ｃ，１００，１００ａ，１００ｂ，２００，２００ａ  空気調和機
１０，１０ａ，１０ｂ，１０ｃ，１１０，１１０ｂ，２１０，２１０ａ  室内機
２０，２０ａ，２０ｂ，２０ｃ，１２０，１２０ａ，１２０ｂ，２２０，２２０ａ  室外機
Ｓ  信号ライン
ＡＣＬ  高圧側電源ライン
ＡＣＮ  基準側電源ライン
【図１】
2005257239.tif 000003
【図２】
2005257239.tif 000004
【図３】
2005257239.tif 000005
【図４】
2005257239.tif 000006
【図５】
2005257239.tif 000007
【図６】
2005257239.tif 000008
【図７】
2005257239.tif 000009
【図８】
2005257239.tif 000010
【図９】
2005257239.tif 000011
【図１０】
2005257239.tif 000012
【図１１】
2005257239.tif 000013
【図１２】
2005257239.tif 000014
【図１３】
2005257239.tif 000015
【図１４】
2005257239.tif 000016
【図１５】
2005257239.tif 000017
【図１６】
2005257239.tif 000018